(57)【要約】  本出願の実施例は、端末機器がネットワーク機器のダウンリンク伝送を認識することを可能にすることができる、情報を伝送するための方法、ネットワーク機器および端末機器を提供する。前記方法は、ネットワーク機器および端末機器を含む通信システムに適用され、前記通信システムによって使用されるキャリア上の時間領域リソースは、競合メカニズムに基づいて使用される時間領域リソースであり、前記方法は、前記ネットワーク機器が、使用可能な第１時間周波数リソースを決定することであって、前記第１時間周波数リソースは、第１ダウンリンク伝送機会における時間周波数リソースであることと、前記ネットワーク機器が前記第１時間周波数リソースを介して第１情報を前記端末機器に送信することであって、前記第１情報は、前記端末機器が、前記第１時間周波数リソースがダウンリンク時間周波数リソースであることを決定するために使用され、且つ、前記第１情報は、さらに、前記第１ダウンリンク伝送機会の終了位置を決定するために使用され、前記第１情報は、第１ビームフォーミング処理後に取得された情報であることとを含む。
2021513816.tif 000002
【特許請求の範囲】
【請求項１】
情報伝送方法であって、
ネットワーク機器および端末機器を含む通信システムに適用され、前記通信システムによって使用されるキャリア上の時間領域リソースは、競合メカニズムに基づいて使用される時間領域リソースであり、前記方法は、
前記ネットワーク機器が、使用可能な第１時間周波数リソースを決定することであって、前記第１時間周波数リソースは、第１ダウンリンク伝送機会における時間周波数リソースであることと、
前記ネットワーク機器が前記第１時間周波数リソースを介して第１情報を前記端末機器に送信することであって、前記第１情報は、前記端末機器が、前記第１時間周波数リソースがダウンリンク時間周波数リソースであることを決定するために使用され、且つ、前記第１情報は、さらに、前記第１ダウンリンク伝送機会の終了位置を決定するために使用され、前記第１情報は、第１ビームフォーミング処理後に取得された情報であることとを含む、前記情報伝送方法。
【請求項２】
前記第１情報は、さらに、
前記第１ダウンリンク伝送機会の開始位置、前記第１ダウンリンク伝送機会における前記第１時間周波数リソースの位置、前記第１ダウンリンク伝送機会における残りの時間ユニットの数、前記ネットワーク機器が配置されたセルの識別子または前記第１ビームフォーミングのビーム識別子のうちの少なくとも１つの情報を決定するために使用されることを特徴とする、
請求項１に記載の情報伝送方法。
【請求項３】
前記ネットワーク機器が前記第１時間周波数リソースを介して第１情報を前記端末機器に送信することは、
前記ネットワーク機器が、前記第１時間周波数リソースで、ダウンリンク制御チャネルまたは参照信号を介して前記第１情報を前記端末機器に送信することを含むことを特徴とする、
請求項１または２に記載の情報伝送方法。
【請求項４】
前記第１ビームフォーミングは、前記第１ダウンリンク伝送機会における最初の時間ユニットに適用され、または、
前記第１ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会における最初のｐ個の時間単位のうちの少なくとも１つの時間ユニットに適用され、ｐ＝ｃｅｉｌ（Ｐ／２）であり、前記Ｐは、前記第１ダウンリンク伝送機会に含まれる時間ユニットの数を表し、ｃｅｉｌ（）は切り上げを表すことを特徴とする、
請求項１ないし３のいずれか一項に記載の情報伝送方法。
【請求項５】
前記方法は、
前記ネットワーク機器が第２時間周波数リソースを介して第２情報を前記端末機器に送信することであって、前記第２情報は、前記端末機器が、前記第２時間周波数リソースがダウンリンク時間周波数リソースであることを決定するために使用され、且つ、前記第２情報は、さらに、前記第１ダウンリンク伝送機会の終了位置を決定するために使用され、前記第２情報は、第２ビームフォーミング処理後に取得された情報であり、前記第２時間周波数リソースは、前記第１ダウンリンク伝送機会における時間周波数リソースであり、前記第２時間周波数リソースは、前記第１時間周波数リソースより時間的に遅いことをさらに含むことを特徴とする、
請求項１ないし４のいずれか一項に記載の情報伝送方法。
【請求項６】
前記第２情報は、さらに、
前記第１ダウンリンク伝送機会の開始位置、前記第１ダウンリンク伝送機会における前記第２時間周波数リソースの位置、前記第１ダウンリンク伝送機会における残りの時間ユニットの数、前記ネットワーク機器が配置されたセルの識別子または前記第２ビームフォーミングのビーム識別子のうちの少なくとも１つの情報を決定するために使用されることを特徴とする、
請求項５に記載の情報伝送方法。
【請求項７】
前記第１ビームフォーミングのビーム識別子は、前記第２ビームフォーミングのビーム識別子とは異なることを特徴とする、
請求項５または６に記載の情報伝送方法。
【請求項８】
前記第２ビームフォーミングは、前記第１ビームフォーミングに適用される時間ユニットの次の時間ユニットに適用され、または、
前記第２ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会における最後のｑ個の時間単位のうちの少なくとも１つの時間ユニットに適用され、ｑ＝ｆｌｏｏｒ（Ｐ／２）であり、前記Ｐは、前記第１ダウンリンク伝送機会に含まれる時間ユニットの数を表し、ｆｌｏｏｒ（）は切り上げを表すことを特徴とする、
請求項５ないし７のいずれか一項に記載の情報伝送方法。
【請求項９】
情報伝送方法であって、
ネットワーク機器および端末機器を含む通信システムに適用され、前記通信システムによって使用されるキャリア上の時間領域リソースは、競合メカニズムに基づいて使用される時間領域リソースであり、前記方法は、
前記端末機器が、第１時間周波数リソースを介して前記ネットワーク機器によって送信された第１情報を受信することであって、前記第１時間周波数リソースは、第１ダウンリンク伝送機会における時間周波数リソースであることと、
前記端末機器が、前記第１情報に従って前記第１時間周波数リソースがダウンリンク時間周波数リソースであることを決定することであって、前記第１情報は、さらに、前記第１ダウンリンク伝送機会の終了位置を決定するために使用され、前記第１情報は、第１ビームフォーミング処理後に取得された情報であることとを含む、前記情報伝送方法。
【請求項１０】
前記第１情報は、さらに、
前記第１ダウンリンク伝送機会の開始位置、前記第１ダウンリンク伝送機会における前記第１時間周波数リソースの位置、前記第１ダウンリンク伝送機会における残りの時間ユニットの数、前記ネットワーク機器が配置されたセルの識別子または前記第１ビームフォーミングのビーム識別子のうちの少なくとも１つの情報を決定するために使用されることを特徴とする、
請求項９に記載の情報伝送方法。
【請求項１１】
前記端末機器が、第１時間周波数リソースを介して前記ネットワーク機器によって送信された第１情報を受信することは、
前記端末機器が、前記ネットワーク機器が前記第１時間周波数リソースでダウンリンク制御チャネルを介して伝送しまたは参照信号によって送信された前記第１情報を受信することを含むことを特徴とする、
請求項９または１０に記載の情報伝送方法。
【請求項１２】
前記第１ビームフォーミングは、前記第１ダウンリンク伝送機会における最初の時間ユニットに適用され、または、
前記第１ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会における最初のｐ個の時間単位のうちの少なくとも１つの時間ユニットに適用され、ｐ＝ｃｅｉｌ（Ｐ／２）であり、前記Ｐは、前記第１ダウンリンク伝送機会に含まれる時間ユニットの数を表し、ｃｅｉｌ（）は切り上げを表すことを特徴とする、
請求項９ないし１１のいずれか一項に記載の情報伝送方法。
【請求項１３】
前記方法は、
前記端末機器が、前記ネットワーク機器が第２時間周波数リソースを介して送信した第２情報を受信することと、
前記端末機器が、前記第２情報に従って、前記第２時間周波数リソースがダウンリンク時間周波数リソースであることを決定することであって、前記第２情報は、さらに、前記第１ダウンリンク伝送機会の終了位置を決定するために使用され、前記第２情報は、第２ビームフォーミング処理後に取得された情報であり、前記第２時間周波数リソースは、前記第１ダウンリンク伝送機会における時間周波数リソースであり、前記第２時間周波数リソースは、前記第１時間周波数リソースより時間的に遅いこととをさらに含むことを特徴とする、
請求項９ないし１２のいずれか一項に記載の情報伝送方法。
【請求項１４】
前記第２情報は、さらに、
前記第１ダウンリンク伝送機会の開始位置、前記第１ダウンリンク伝送機会における前記第２時間周波数リソースの位置、前記第１ダウンリンク伝送機会における残りの時間ユニットの数、前記ネットワーク機器が配置されたセルの識別子または前記第２ビームフォーミングのビーム識別子のうちの少なくとも１つの情報を決定するために使用されることを特徴とする、
請求項１３に記載の情報伝送方法。
【請求項１５】
前記第１ビームフォーミングのビーム識別子は、前記第２ビームフォーミングのビーム識別子とは異なることを特徴とする、
請求項１３または１４に記載の情報伝送方法。
【請求項１６】
前記第２ビームフォーミングは、前記第１ビームフォーミングに適用される時間ユニットの次の時間ユニットに適用され、または、
前記第２ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会における最後のｑ個の時間単位のうちの少なくとも１つの時間ユニットに適用され、ｑ＝ｆｌｏｏｒ（Ｐ／２）であり、前記Ｐは、前記第１ダウンリンク伝送機会に含まれる時間ユニットの数を表し、ｆｌｏｏｒ（）は切り上げを表すことを特徴とする、
請求項１３ないし１５のいずれか一項に記載の情報伝送方法。
【請求項１７】
前記方法は、
前記端末機器が、前記第１ダウンリンク伝送機会の開始位置および／または終了位置に従って、前記ネットワーク機器によって送信されたダウンリンクチャネルのチャネル状態情報を測定することをさらに含むことを特徴とする、
請求項９ないし１６のいずれか一項に記載の情報伝送方法。
【請求項１８】
ネットワーク機器であって、
前記ネットワーク機器が属する通信システムによって使用されるキャリア上の時間領域リソースは、競合メカニズムに基づいて使用される時間領域リソースであり、前記ネットワーク機器は、
使用可能な第１時間周波数リソースを決定するように構成される決定モジュールであって、前記第１時間周波数リソースは、第１ダウンリンク伝送機会における時間周波数リソースである決定モジュールと、
前記第１時間周波数リソースを介して第１情報を前記端末機器に送信するように構成される通信モジュールであって、前記第１情報は、前記端末機器が、前記第１時間周波数リソースがダウンリンク時間周波数リソースであることを決定するために使用され、且つ、前記第１情報は、さらに、前記第１ダウンリンク伝送機会の終了位置を決定するために使用され、前記第１情報は、第１ビームフォーミング処理後に取得された情報である通信モジュールとを含む、前記ネットワーク機器。
【請求項１９】
前記第１情報は、さらに、
前記第１ダウンリンク伝送機会の開始位置、前記第１ダウンリンク伝送機会における前記第１時間周波数リソースの位置、前記第１ダウンリンク伝送機会における残りの時間ユニットの数、前記ネットワーク機器が配置されたセルの識別子または前記第１ビームフォーミングのビーム識別子のうちの少なくとも１つの情報を決定するために使用されることを特徴とする、
請求項１８に記載のネットワーク機器。
【請求項２０】
前記通信モジュールは、具体的に、
前記第１時間周波数リソースで、ダウンリンク制御チャネルまたは参照信号を介して前記第１情報を前記端末機器に送信するように構成されることを特徴とする、
請求項１８または１９に記載のネットワーク機器。
【請求項２１】
前記第１ビームフォーミングは、前記第１ダウンリンク伝送機会における最初の時間ユニットに適用され、または、
前記第１ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会における最初のｐ個の時間単位のうちの少なくとも１つの時間ユニットに適用され、ｐ＝ｃｅｉｌ（Ｐ／２）であり、前記Ｐは、前記第１ダウンリンク伝送機会に含まれる時間ユニットの数を表し、ｃｅｉｌ（）は切り上げを表すことを特徴とする、
請求項１８ないし２０のいずれか一項に記載のネットワーク機器。
【請求項２２】
前記通信モジュールは、さらに、
第２時間周波数リソースを介して第２情報を前記端末機器に送信するように構成され、前記第２情報は、前記端末機器が、前記第２時間周波数リソースがダウンリンク時間周波数リソースであることを決定するために使用され、且つ、前記第２情報は、さらに、前記第１ダウンリンク伝送機会の終了位置を決定するために使用され、前記第２情報は、第２ビームフォーミング処理後に取得された情報であり、前記第２時間周波数リソースは、前記第１ダウンリンク伝送機会における時間周波数リソースであり、前記第２時間周波数リソースは、前記第１時間周波数リソースより時間的に遅いことを特徴とする、
請求項１８ないし２１のいずれか一項に記載のネットワーク機器。
【請求項２３】
前記第２情報は、さらに、
前記第１ダウンリンク伝送機会の開始位置、前記第１ダウンリンク伝送機会における前記第２時間周波数リソースの位置、前記第１ダウンリンク伝送機会における残りの時間ユニットの数、前記ネットワーク機器が配置されたセルの識別子または前記第２ビームフォーミングのビーム識別子のうちの少なくとも１つの情報を決定するために使用されることを特徴とする、
請求項２２に記載のネットワーク機器。
【請求項２４】
前記第１ビームフォーミングのビーム識別子は、前記第２ビームフォーミングのビーム識別子とは異なることを特徴とする、
請求項２２または２３に記載のネットワーク機器。
【請求項２５】
前記第２ビームフォーミングは、前記第１ビームフォーミングに適用される時間ユニットの次の時間ユニットに適用され、または、
前記第２ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会における最後のｑ個の時間単位のうちの少なくとも１つの時間ユニットに適用され、ｑ＝ｆｌｏｏｒ（Ｐ／２）であり、前記Ｐは、前記第１ダウンリンク伝送機会に含まれる時間ユニットの数を表し、ｆｌｏｏｒ（）は切り上げを表すことを特徴とする、
請求項２２ないし２４のいずれか一項に記載のネットワーク機器。
【請求項２６】
端末機器であって、
前記端末機器が属する通信システムによって使用されるキャリア上の時間領域リソースは、競合メカニズムに基づいて使用される時間領域リソースであり、前記端末機器は、
第１時間周波数リソースを介してネットワーク機器によって送信された第１情報を受信するように構成される通信モジュールであって、前記第１時間周波数リソースは、第１ダウンリンク伝送機会における時間周波数リソースである通信モジュールと、
前記第１情報に従って前記第１時間周波数リソースがダウンリンク時間周波数リソースであることを決定するように構成される決定モジュールであって、前記第１情報は、さらに、前記第１ダウンリンク伝送機会の終了位置を決定するために使用され、前記第１情報は、第１ビームフォーミング処理後に取得された情報である決定モジュールとを含む、前記端末機器。
【請求項２７】
前記第１情報は、さらに、
前記第１ダウンリンク伝送機会の開始位置、前記第１ダウンリンク伝送機会における前記第１時間周波数リソースの位置、前記第１ダウンリンク伝送機会における残りの時間ユニットの数、前記ネットワーク機器が配置されたセルの識別子または前記第１ビームフォーミングのビーム識別子のうちの少なくとも１つの情報を決定するために使用されることを特徴とする、
請求項２６に記載の端末機器。
【請求項２８】
前記通信モジュールは、具体的に、
前記ネットワーク機器が前記第１時間周波数リソースでダウンリンク制御チャネルを介して伝送しまたは参照信号によって送信された前記第１情報を受信するように構成されることを特徴とする、
請求項２６または２７に記載の端末機器。
【請求項２９】
前記第１ビームフォーミングは、前記第１ダウンリンク伝送機会における最初の時間ユニットに適用され、または、
前記第１ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会における最初のｐ個の時間単位のうちの少なくとも１つの時間ユニットに適用され、ｐ＝ｃｅｉｌ（Ｐ／２）であり、前記Ｐは、前記第１ダウンリンク伝送機会に含まれる時間ユニットの数を表し、ｃｅｉｌ（）は切り上げを表すことを特徴とする、
請求項２６ないし２８のいずれか一項に記載の端末機器。
【請求項３０】
前記通信モジュールは、さらに、
前記ネットワーク機器が第２時間周波数リソースを介して送信した第２情報を受信するように構成され、
前記決定モジュールは、さらに、
前記第２情報に従って、前記第２時間周波数リソースがダウンリンク時間周波数リソースであることを決定するように構成され、且つ、前記第２情報は、さらに、前記第１ダウンリンク伝送機会の終了位置を決定するために使用され、前記第２情報は、第２ビームフォーミング処理後に取得された情報であり、前記第２時間周波数リソースは、前記第１ダウンリンク伝送機会における時間周波数リソースであり、前記第２時間周波数リソースは、前記第１時間周波数リソースより時間的に遅いことを特徴とする、
請求項２６ないし２９のいずれか一項に記載の端末機器。
【請求項３１】
前記第２情報は、さらに、
前記第１ダウンリンク伝送機会の開始位置、前記第１ダウンリンク伝送機会における前記第２時間周波数リソースの位置、前記第１ダウンリンク伝送機会における残りの時間ユニットの数、前記ネットワーク機器が配置されたセルの識別子または前記第２ビームフォーミングのビーム識別子のうちの少なくとも１つの情報を決定するために使用されることを特徴とする、
請求項３０に記載の端末機器。
【請求項３２】
前記第１ビームフォーミングのビーム識別子は、前記第２ビームフォーミングのビーム識別子とは異なることを特徴とする、
請求項３０または３１に記載の端末機器。
【請求項３３】
前記第２ビームフォーミングは、前記第１ビームフォーミングに適用される時間ユニットの次の時間ユニットに適用され、または、
前記第２ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会における最後のｑ個の時間単位のうちの少なくとも１つの時間ユニットに適用され、ｑ＝ｆｌｏｏｒ（Ｐ／２）であり、前記Ｐは、前記第１ダウンリンク伝送機会に含まれる時間ユニットの数を表し、ｆｌｏｏｒ（）は切り上げを表すことを特徴とする、
請求項３０ないし３２のいずれか一項に記載の端末機器。
【請求項３４】
前記通信モジュールは、さらに、
前記第１ダウンリンク伝送機会の開始位置および／または終了位置に従って、前記ネットワーク機器によって送信されたダウンリンクチャネルのチャネル状態情報を測定するように構成されることを特徴とする、
請求項２６ないし３３のいずれか一項に記載の端末機器。
【発明の詳細な説明】
【技術分野】
【０００１】
本出願の実施例は、通信分野に関し、より具体的に、情報を伝送するための方法、ネットワーク機器および端末機器に関する。
【背景技術】
【０００２】
ロングタームエボリューション（ＬＴＥ：Ｌｏｎｇ  Ｔｅｒｍ  Ｅｖｏｌｕｔｉｏｎ）に基づくライセンス補助アクセス（Ｌｉｃｅｎｓｅｄ−Ａｓｓｉｓｔｅｄ  Ａｃｃｅｓｓ）（ＬＡＡ−ＬＴＥ）システムでは、ライセンススペクトルのキャリアをメインキャリアとし、アンライセンススペクトルのキャリアをセカンダリキャリアとして端末機器に対してサービスを提供し、ここで、アンライセンススペクトルでは、通信機器は「リスニングビフォアトーク（ＬＢＴ：Ｌｉｓｔｅｎ  Ｂｅｆｏｒｅ  Ｔａｌｋ）」原則に準拠し、即ち、通信機器は、アンライセンススペクトルのチャネルで信号を送信する前に、チャネルセンシングを先に実行する必要があり、チャネルセンシング結果が、チャネルがアイドル状態である場合のみ、前記通信機器は信号を送信することができ、通信機器のアンライセンススペクトルのチャネルでのチャネルセンシング結果が、チャネルがビジー状態であることであれば、前記通信機器は信号を送信することができない。
【０００３】
ＬＡＡ−ＬＴＥシステムにおいて、ネットワーク機器の伝送は日和見的であり、ＬＢＴの成功のみデータ伝送を実行することができ、ＬＢＴが失敗するとデータ伝送を実行することができないため、前記ネットワーク機器がサービスするセルにおける端末機器は、ネットワーク機器がダウンリンク伝送をいつ実行し、ダウンリンク伝送をいつ終了するかを明確にする必要があり、それにより、ネットワークとの正しいデータ通信を実行する。
【０００４】
ＬＡＡ−ＬＴＥシステムにおいて、ネットワーク機器によって送信された各サブフレームのすべてはセル固有参照信号（ＣＲＳ：Ｃｅｌｌ−ｓｐｅｃｉｆｉｃ  Ｒｅｆｅｒｅｎｃｅ  Ｓｉｇｎａｌｓ）を有する。端末機器は、現在のサブフレームにＣＲＳが存在するかどうかを検出することにより、前記サブフレームにネットワーク機器のダウンリック伝送が存在するかどうかを判断することができ、それにより、ネットワーク機器との正しいデータ伝送を実行する。
【０００５】
しかし、ニューラジオ（ＮＲ：Ｎｅｗ  Ｒａｄｉｏ）技術をアンライセンススペクトルに適用すると、ＮＲシステムにはＣＲＳが存在しないため、この場合、端末機器は、ネットワーク機器との正しいデータ通信を実行することを実現するために、ネットワーク機器によってダウンリンク伝送が実行される時間周波数リソースを判断することは解決すべき課題である。
【発明の概要】
【発明が解決しようとする課題】
【０００６】
本出願の実施例は、端末機器がネットワークによるダウンリンク伝送のための時間周波数リソースを認識することを可能にすることができる、情報を伝送するための方法、ネットワーク機器および端末機器を提供する。
【課題を解決するための手段】
【０００７】
第１態様によれば、ネットワーク機器および端末機器を含む通信システムに適用される情報伝送方法を提供し、前記通信システムによって使用されるキャリア上の時間領域リソースは、競合メカニズムに基づいて使用される時間領域リソースであり、前記方法は、
前記ネットワーク機器が、使用可能な第１時間周波数リソースを決定することであって、前記第１時間周波数リソースは、第１ダウンリンク伝送機会における時間周波数リソースであることと、
前記ネットワーク機器が前記第１時間周波数リソースを介して第１情報を前記端末機器に送信することであって、前記第１情報は、前記端末機器が、前記第１時間周波数リソースがダウンリンク時間周波数リソースであることを決定するために使用され、且つ、前記第１情報は、さらに、前記第１ダウンリンク伝送機会の終了位置を決定するために使用され、前記第１情報は、第１ビームフォーミング処理後に取得された情報であることとを含む。
【０００８】
例示的に、一回のダウンリンク伝送機会は、ネットワーク機器によって連続的に伝送される時間ユニットとして定義することができ、１つの時間ユニットは、１つのまたは複数のサブフレームとして定義してもよく、１つのまたは複数のタイムスロットとして定義してもよく、または１つのまたは複数のマイクロタイムスロットなどとして定義してもよく、本出願の実施例はこれらに限定されない。
【０００９】
本出願の実施例における一回のダウンリンク伝送機会の開始時間ユニットおよび／または終了時間ユニットは、例えば、完全な１つのサブフレーム、１つのタイムスロットまたは１つのマイクロタイムスロットなどの、完全な時間ユニットであってもよく、例えば、一部のサブフレーム、一部のタイムスロットまたは一部のマイクロタイムスロットなどの、一部の時間ユニットなどであってもよく、本出願の実施例はこれらに限定されない。
【００１０】
第１態様を参照すると、第１態様のいくつかの実現形態において、前記第１情報は、さらに、
前記第１ダウンリンク伝送機会の開始位置、前記第１ダウンリンク伝送機会における前記第１時間周波数リソースの位置、前記第１ダウンリンク伝送機会における残りの時間ユニットの数、前記ネットワーク機器が配置されたセルの識別子または前記第１ビームフォーミングのビーム識別子のうちの少なくとも１つの情報を決定するために使用される。
【００１１】
第１態様を参照すると、第１態様のいくつかの実現形態において、前記ネットワーク機器が前記第１時間周波数リソースを介して第１情報を前記端末機器に送信することは、
前記ネットワーク機器が、前記第１時間周波数リソースで、ダウンリンク制御チャネルまたは参照信号を介して前記第１情報を前記端末機器に送信することを含む。
【００１２】
前記第１情報は、ＤＣＩの一部のまたはすべてのコンテンツであってもよく、または、前記第１情報は、参照信号を介して伝送されることができる。ここで、前記ＤＣＩは、共有のＰＤＣＣＨを介して伝送されてもよく、１グループのＰＤＣＣＨを介して伝送されてもよく、または、前記参照信号のシーケンスはセル識別子に従って生成されてもよく、または前記参照信号のシーケンスは事前に定義してもよく、本出願の実施例はこれらに対して限定しない。
【００１３】
第１態様を参照すると、第１態様のいくつかの実現形態において、前記第１ビームフォーミングは、前記第１ダウンリンク伝送機会における最初の時間ユニットに適用され、または、
前記第１ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会における最初のｐ個の時間単位のうちの少なくとも１つの時間ユニットに適用され、ｐ＝ｃｅｉｌ（Ｐ／２）であり、ここで、前記Ｐは、前記第１ダウンリンク伝送機会に含まれる時間ユニットの数を表し、ｃｅｉｌ（）は切り上げを表す。
【００１４】
即ち、第１ビームフォーミングは、第１ダウンリンク伝送機会における最初の時間ユニット、またはいくつかの特定の時間ユニットに適用されることができ、以上の特定の時間ユニットの位置は例示的なものであるが、限定するものではなく、前記第１ビームフォーミングは、他の条件を満たす時間ユニットに適用されることもでき、本出願の実施例はこれらに対して限定しない。
【００１５】
第１態様を参照すると、第１態様のいくつかの実現形態において、前記方法は、
前記ネットワーク機器が第２時間周波数リソースを介して第２情報を前記端末機器に送信することであって、前記第２情報は、前記端末機器が、前記第２時間周波数リソースがダウンリンク時間周波数リソースであることを決定するために使用され、且つ、前記第２情報は、さらに、前記第１ダウンリンク伝送機会の終了位置を決定するために使用され、前記第２情報は、第２ビームフォーミング処理後に取得された情報であり、前記第２時間周波数リソースは、前記第１ダウンリンク伝送機会における時間周波数リソースであり、前記第２時間周波数リソースは、前記第１時間周波数リソースより時間的に遅いことをさらに含む。
【００１６】
前記第２情報は、ＤＣＩの一部のまたはすべてのコンテンツであってもよく、または、前記第２情報は、参照信号を介して伝送されることができる。ここで、前記ＤＣＩは、共有のＰＤＣＣＨを介して伝送されてもよく、１グループのＰＤＣＣＨを介して伝送されてもよく、または、前記参照信号のシーケンスはセル識別子に従って生成されてもよく、または前記参照信号のシーケンスは事前に定義してもよく、本出願の実施例はこれらに対して限定しない。
【００１７】
第１態様を参照すると、第１態様のいくつかの実現形態において、前記第２情報は、さらに、
前記第１ダウンリンク伝送機会の開始位置、前記第１ダウンリンク伝送機会における前記第２時間周波数リソースの位置、前記第１ダウンリンク伝送機会における残りの時間ユニットの数、前記ネットワーク機器が配置されたセルの識別子または前記第２ビームフォーミングのビーム識別子のうちの少なくとも１つの情報を決定するために使用される。
【００１８】
第１態様を参照すると、第１態様のいくつかの実現形態において、前記第１ビームフォーミングのビーム識別子は、前記第２ビームフォーミングのビーム識別子とは異なる。
【００１９】
第１態様を参照すると、第１態様のいくつかの実現形態において、前記第２ビームフォーミングは、前記第１ビームフォーミングに適用される時間ユニットの次の時間ユニットに適用され、または、
前記第２ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会における最後のｑ個の時間単位のうちの少なくとも１つの時間ユニットに適用され、ｑ＝ｆｌｏｏｒ（Ｐ／２）であり、ここで、前記Ｐは、前記第１ダウンリンク伝送機会に含まれる時間ユニットの数を表し、ｆｌｏｏｒ（）は切り上げを表す。
【００２０】
即ち、第２ビームフォーミングは、第１ビームフォーミングが適用する時間ユニットの後の時間ユニット、またはいくつかの特定の時間ユニットに適用されることができ、以上の特定の時間ユニットの位置は例示的なものに過ぎず、限定するものではなく、前記第２ビームフォーミングは、他の条件を満たす時間ユニットに適用されることもでき、本出願の実施例はこれらに対して限定しない。
【００２１】
したがって、本出願の実施例の情報伝送方法によれば、端末機器がＤＣＩまたは参照信号を受信した場合、ＤＣＩまたは参照信号に搬送される指示情報に従って現在のダウンリンク伝送機会の開始位置および／または終了位置を決定することができるため、前記ダウンリンク伝送機会の開始位置および／または終了位置に従って、ネットワーク機器との通常のデータ通信を実行することができる。さらに、信号伝送のフェージングがひどい可能性があるため、本出願の実施例の情報伝送方法によると、ＤＣＩまたは参照信号を送信する場合、少なくとも２つの方向のビームフォーミングを介して前記ＤＣＩまたは参照信号を処理することができるため、異なる方向の端末機器が前記ＤＣＩまたは参照信号を正しく受信する確率を向上させるのに有益である。
【００２２】
第２態様によれば、ネットワーク機器および端末機器を含む通信システムに適用される情報伝送方法を提供し、前記通信システムによって使用されるキャリア上の時間領域リソースは、競合メカニズムに基づいて使用される時間領域リソースであり、前記方法は、
前記端末機器が、第１時間周波数リソースを介して前記ネットワーク機器によって送信された第１情報を受信することであって、前記第１時間周波数リソースは、第１ダウンリンク伝送機会における時間周波数リソースであることと、
前記端末機器が、前記第１情報に従って前記第１時間周波数リソースがダウンリンク時間周波数リソースであることを決定することであって、前記第１情報は、さらに、前記第１ダウンリンク伝送機会の終了位置を決定するために使用され、前記第１情報は、第１ビームフォーミング処理後に取得された情報であることとを含む。
【００２３】
第２態様を参照すると、第２態様のいくつかの実現形態において、前記第１情報は、さらに、
前記第１ダウンリンク伝送機会の開始位置、前記第１ダウンリンク伝送機会における前記第１時間周波数リソースの位置、前記第１ダウンリンク伝送機会における残りの時間ユニットの数、前記ネットワーク機器が配置されたセルの識別子または前記第１ビームフォーミングのビーム識別子のうちの少なくとも１つの情報を決定するために使用される。
【００２４】
第２態様を参照すると、第２態様のいくつかの実現形態において、前記端末機器が、第１時間周波数リソースを介して前記ネットワーク機器によって送信された第１情報を受信することは、
前記端末機器が、前記ネットワーク機器が前記第１時間周波数リソースでダウンリンク制御チャネルを介して伝送しまたは参照信号によって送信された前記第１情報を受信することを含む。
【００２５】
第２態様を参照すると、第２態様のいくつかの実現形態において、前記第１ビームフォーミングは、前記第１ダウンリンク伝送機会における最初の時間ユニットに適用され、または、
前記第１ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会における最初のｐ個の時間単位のうちの少なくとも１つの時間ユニットに適用され、ｐ＝ｃｅｉｌ（Ｐ／２）であり、ここで、前記Ｐは、前記第１ダウンリンク伝送機会に含まれる時間ユニットの数を表し、ｃｅｉｌ（）は切り上げを表す。
【００２６】
第２態様を参照すると、第２態様のいくつかの実現形態において、前記方法は、
前記端末機器が、前記ネットワーク機器が第２時間周波数リソースを介して送信した第２情報を受信することと、
前記端末機器が、前記第２情報に従って、前記第２時間周波数リソースがダウンリンク時間周波数リソースであることを決定することであって、前記第２情報は、さらに、前記第１ダウンリンク伝送機会の終了位置を決定するために使用され、前記第２情報は、第２ビームフォーミング処理後に取得された情報であり、前記第２時間周波数リソースは、前記第１ダウンリンク伝送機会における時間周波数リソースであり、前記第２時間周波数リソースは、前記第１時間周波数リソースより時間的に遅いこととをさらに含む。
【００２７】
第２態様を参照すると、第２態様のいくつかの実現形態において、前記第２情報は、さらに、
前記第１ダウンリンク伝送機会の開始位置、前記第１ダウンリンク伝送機会における前記第２時間周波数リソースの位置、前記第１ダウンリンク伝送機会における残りの時間ユニットの数、前記ネットワーク機器が配置されたセルの識別子または前記第２ビームフォーミングのビーム識別子のうちの少なくとも１つの情報を決定するために使用される。
【００２８】
第２態様を参照すると、第２態様のいくつかの実現形態において、前記第１ビームフォーミングのビーム識別子は、前記第２ビームフォーミングのビーム識別子とは異なる。
【００２９】
第２態様を参照すると、第２態様のいくつかの実現形態において、前記第２ビームフォーミングは、前記第１ビームフォーミングに適用される時間ユニットの次の時間ユニットに適用され、または、
前記第２ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会における最後のｑ個の時間単位のうちの少なくとも１つの時間ユニットに適用され、ｑ＝ｆｌｏｏｒ（Ｐ／２）であり、ここで、前記Ｐは、前記第１ダウンリンク伝送機会に含まれる時間ユニットの数を表し、ｆｌｏｏｒ（）は切り上げを表す。
【００３０】
第２態様を参照すると、第２態様のいくつかの実現形態において、前記方法は、
前記端末機器が、前記第１ダウンリンク伝送機会の開始位置および／または終了位置に従って、前記ネットワーク機器によって送信されたダウンリンクチャネルのチャネル状態情報を測定することをさらに含む。
【００３１】
第３態様によれば、前記第１態様または第１態様の任意の可能な実施形態における方法を実行するように構成されるネットワーク機器を提供する。具体的に、前記ネットワーク機器は、前記第１態様または第１態様の任意の可能な実現形態における方法を実行するように構成されるユニットを含む。
【００３２】
第４態様によれば、前記第２態様または第２態様の任意の可能な実現形態における方法を実行するように構成される端末機器を提供する。具体的に、前記端末機器は、前記第２態様または第２態様の任意の可能な実現形態における方法を実行するように構成されるユニットを含む。
【００３３】
第５態様によれば、ネットワーク機器を提供し、前記ネットワーク機器は、メモリ、プロセッサ、入力インターフェースおよび出力インターフェースを含む。ここで、メモリ、プロセッサ、入力インターフェースおよび出力インターフェースはバスシステムを介して接続する。前記メモリは、命令を記憶するように構成され、前記プロセッサは、前記メモリによって記憶された、前記第１態様または第１態様の任意の可能な実現形態における方法を実行するために使用される命令を実行するように構成される。
【００３４】
第６態様によれば、端末機器を提供し、前記端末機器は、メモリ、プロセッサ、入力インターフェースおよび出力インターフェースを含む。ここで、メモリ、プロセッサ、入力インターフェースおよび出力インターフェースはバスシステムを介して接続する。前記メモリは、命令を記憶するように構成され、前記プロセッサは、前記メモリによって記憶された、前記第２態様または第２態様の任意の可能な実現形態における方法を実行するための命令を実行するように構成される。
【００３５】
第７態様によれば、前記第１態様または第１態様の任意の可能な実現形態における方法を実行するために使用される、前記態様を実行するために設計されたプログラムを含むコンピュータソフトウェア命令を記憶するために使用されるコンピュータ記憶媒体を提供する。
【００３６】
第８態様によれば、前記第２態様または第２態様の任意の可能な実現形態における方法を実行するために使用される、前記態様を実行するために設計されたプログラムを含むコンピュータソフトウェア命令を記憶するために使用されるコンピュータ記憶媒体を提供する。
【００３７】
第９態様によれば、コンピュータで実行されると、コンピュータが前記第１態様または第１態様のいずれかの例示的な実現形態における方法を実行するようにする命令を含むコンピュータプログラム製品を提供する。
【００３８】
第１０態様によれば、コンピュータで実行されると、コンピュータが前記第２態様または第２態様のいずれかの例示的な実現形態における方法を実行するようにする命令を含むコンピュータプログラム製品を提供する。
【図面の簡単な説明】
【００３９】
【図１】本出願の実施例に係る通信システムの概略図である。
【図２】本出願の実施例に係る情報伝送方法の例示的なフローチャートである。
【図３】本出願の実施例に係る情報伝送方法の一例の概略図である。
【図４】２つの方向のビームフォーミングを介して指示情報を伝送する一実現形態の概略図である。
【図５】２つの方向のビームフォーミングを介して指示情報を伝送する別の実現形態の概略図である。
【図６】本出願の実施例に係る情報伝送方法の例示的なフローチャートである。
【図７】本出願の実施例に係る端末機器の例示的なブロック図である。
【図８】本出願の実施例に係るネットワーク機器の例示的なブロック図である。
【図９】本出願の別の実施例に係る端末機器の例示的なブロック図である。
【図１０】本出願の別の実施例に係るネットワーク機器の例示的なブロック図である。
【発明を実施するための形態】
【００４０】
以下、本出願における技術的解決策を図面と組み合わせて説明する。
【００４１】
本明細書で使用される「部品」、「モジュール」、「システム」などの用語は、コンピュータに関するエンティティ、ハードウェア、ファームウェアおよびソフトウェアの組み合わせ、ソフトウェア、または実行されているソフトウェアを表すために使用される。例えば、部品は、プロセッサで動作されているプロセス、プロセッサ、オブジェクト、実行可能ファイル、実行スレッド、プログラムおよび／またはコンピュータであり得るが、これらに限定されない。図を通じて、コンピューティング機器によって動作されるアプリケーションおよびコンピューティング機器は部品であり得る。１つのまたは複数の部品はプロセスおよび／または実行スレッド内に常駐することができ、部品は、１つのコンピュータに配置し、および／または２つまたは２つ以上のコンピュータ間に分散することもできる。なお、これらの部品は、以上の様々なデータ構造が格納された様々なコンピュータ読み取り可能な媒体によって実行されることができる。部件は、例えば、１つのまたは複数のデータパケット（例えば、ローカルシステム、分散システムおよび／またはネットワーク間からの別の部件と相互作用を実行する２つの部品のデータであり、例えば、信号を介して他のシステムと相互作用を実行するインターネットなど）を有する信号に従ってローカルおよび／またはリモートプロセスを介して通信することができる。
【００４２】
本出願の実施例は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分離多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、高度なロングタームエボリューション（ＬＴＥ−Ａ：Ａｄｖａｎｃｅｄ  ｌｏｎｇ  ｔｅｒｍ  ｅｖｏｌｕｔｉｏｎ）システム、ニューラジオ（ＮＲ：Ｎｅｗ  Ｒａｄｉｏ）システムおよびＮＲシステムのエボリューションシステム、例えば、アンライセンススペクトルのＮＲ（ＮＲ−Ｕ：ＮＲ−ｂａｓｅｄ  ａｃｃｅｓｓ  ｔｏ  ｕｎｌｉｃｅｎｓｅｄ  ｓｐｅｃｔｒｕｍ）システム、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイヤレスメトロポリタンエリアネットワーク（ＷＬＡＮ：Ｗｉｒｅｌｅｓｓ  Ｌｏｃａｌ  Ａｒｅａ  Ｎｅｔｗｏｒｋｓ）、ワイファイ（ＷｉＦｉ：Ｗｉｒｅｌｅｓｓ  Ｆｉｄｅｌｉｔｙ）または次の世代の通信システムなど、様々な通信システムに適用されることができることを理解されたい。
【００４３】
通常、従来の通信システムがサポートする接続数は有限であり、且つ実現するのに容易であるが、通信技術の発展に伴い、モバイル通信システムは、従来の通信をサポートすることに過ぎず、例えば、デバイスツーデバイス（Ｄ２Ｄ：Ｄｅｖｉｃｅ  ｔｏ  Ｄｅｖｉｃｅ）通信、マシンツーマシン（Ｍ２Ｍ：Ｍａｃｈｉｎｅ  ｔｏ  Ｍａｃｈｉｎｅ）通信、マシンタイプ通信（ＭＴＣ：Ｍａｃｈｉｎｅ  Ｔｙｐｅ  Ｃｏｍｍｕｎｉｃａｔｉｏｎ）、および車両間（Ｖ２Ｖ：Ｖｅｈｉｃｌｅ  ｔｏ  Ｖｅｈｉｃｌｅ）通信もサポートする。
【００４４】
本出願の実施例における通信システムは、キャリア集約（ＣＡ：Ｃａｒｒｉｅｒ  Ａｇｇｒｅｇａｔｉｏｎ）シナリオに適用されることができ、デュアル接続（ＤＣ：Ｄｕａｌ  Ｃｏｎｎｅｃｔｉｖｉｔｙ）シナリオに適用されることができ、スタンドアロン（ＳＡ：Ｓｔａｎｄａｌｏｎｅ）ネットワーク配置シナリオに適用されることができる。
【００４５】
本出願の実施例における通信システムがアンライセンススペクトルに適用され、且つネットワーク配置シナリオがＣＡである場合、前記ＣＡネットワーク配置シナリオは、メインキャリアがライセンススペクトルにあり、セカンダリキャリアがアンライセンススペクトルにある場合であってもよく、メインキャリアおよびセカンダリキャリアは、理想的なバックホール（ｂａｃｋｈａｕｌ）により接続する。
【００４６】
本出願の実施例における通信システムがアンライセンススペクトルに適用され、且つネットワーク配置シナリオがＤＣである場合、前記ＤＣネットワーク配置シナリオは、メインキャリアがライセンススペクトルにあり、セカンダリキャリアがアンライセンススペクトルにある場合であってもよく、メインキャリアおよびセカンダリキャリアは、非理想的なｂａｃｋｈａｕｌにより接続し、ここで、メインキャリアのシステムは、メインキャリアのシステムがＬＴＥシステムであり、セカンダリキャリアのシステムがＮＲシステムであるなど、セカンダリキャリアのシステムと異なるシステムに属することができ、または、メインキャリアのシステムは、メインキャリアおよびセカンダリキャリアのシステムが両方ともＬＴＥシステムであり、または両方ともＮＲシステムであるなど、セカンダリキャリアのシステムと同じシステムに属することができる。
【００４７】
本発明の実施例における通信システムがアンライセンススペクトルに適用され、且つネットワーク配置シナリオがＳＡである場合、端末機器は、アンライセンススペクトルのシステムを介してネットワークにアクセスすることができる。
【００４８】
本出願の実施例は、ネットワーク機器および端末機器を組み合わせて、各実施例を説明し、ここで、
端末機器は、ユーザ機器（ＵＥ：Ｕｓｅｒ  Ｅｑｕｉｐｍｅｎｔ）、アクセス端末、ユーザユニット、ユーザステーション、移動ステーション、移動局、遠隔局、遠隔端末、モバイル機器、ユーザ端末、端末、無線通信デバイス、ユーザエージェント、またはユーザ装置とも称し得る。端末機器は、ＷＬＡＮにおけるステーション（ＳＴ：ＳＴＡＩＯＮ）であってもよく、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）機器、ワイヤレス通信機能を備えたハンドヘルド機器、コンピューティング機器またはワイヤレスモデムに接続されたその他の処理機器、車載機器、ウェアラブル機器および次の世代通信システム、例えば、第５世代通信（５Ｇ：ｆｉｆｔｈ−ｇｅｎｅｒａｔｉｏｎ）ネットワークにおける端末機器または未来進化の公衆陸上移動ネットワーク（Ｐｕｂｌｉｃ  Ｌａｎｄ  Ｍｏｂｉｌｅ  Ｎｅｔｗｏｒｋ、ＰＬＭＮ）ネットワークにおける端末機器などであってもよい。
【００４９】
本出願の実施例のおいて、前記端末機器がウェアラブル機器であり得ることは例示的なことにすぎず、限定することではない。ウェアラブル機器は、ウェアラブルスマート機器とも称されることができ、当該機器は、ウェアラブル技術を適用して日常で装うものをインテリジェントに設計し、開発されたメガネ、手袋、腕時計、服飾および靴などの着想可能な機器の総称である。ウェアラブル機器は身体に直接装着するか、ユーザの服やアクセサリと一体化するウェアラブル機器である。ウェアラブル機器はハードウェア機器にすぎず、ソフトウェアサポートおよびデータインタラクション、クラウドインタラクションを通じて強力な機能を実現する。一般的なウェアラブルスマート機器は、スマートウォッチ、スマートグラスなどのフル機能で、サイズが大きく、スマートフォンに依存せず、完全または一部の機能を実現することができる機器、および、スマートブレスレット、スマートジュエリなどの特定のタイプのアプリケーション機能のみに焦点を当て、スマートフォンなどの他の機器と組み合わせて使用する必要がある機器を含む。
【００５０】
ネットワーク機器は、モバイル機器と通信するための機器であってもよく、ネットワーク機器はＷＬＡＮのアクセスポイント（ＡＰ：Ａｃｃｅｓｓ  Ｐｏｉｎｔ）、ＧＳＭまたはＣＤＭＡの基地局（ＢＴＳ：Ｂａｓｅ  Ｔｒａｎｓｃｅｉｖｅｒ  Ｓｔａｔｉｏｎ）、であってもよく、ＷＣＤＭＡの基地局（ＮＢ：ＮｏｄｅＢ）であってもよく、ＬＴＥの進化型基地局（Ｅｖｏｌｕｔｉｏｎａｌ  Ｎｏｄｅ  Ｂ、ｅＮＢまたはｅＮｏｄｅＢ）、またはリレーステーションまたはアクセスポイント、または車載機器、ウェアラブル機器および未来の５Ｇネットワークのネットワーク機器または未来進化のＰＬＭＮネットワークのネットワーク機器などであってもよい。
【００５１】
本出願の実施例において、ネットワーク機器はセルにサービスを提供し、端末機器は前記セルによって使用される伝送リソース（時間領域リソースなど、または、スペクトルリソースなど）を介してネットワーク機器と通信し、前記セルは、ネットワーク機器（基地局など）に対応するセルであり得、セルはマクロ基地局に属してもよく、スモールセル（Ｓｍａｌｌ  ｃｅｌｌ）に対応する基地局に属してもよく、ここで、スモールセルは、メトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）などを含み得、これらのスモールセルは、カバレッジが小さく、送信パワーが低いという特徴を有し、高速なデータ伝送サービスを提供するのに適合する。
【００５２】
本出願の実施例において、ＬＴＥシステムまたは５Ｇシステムのキャリアでは複数のセルが同じ周波数で同時に動作することができ、いくつかの特別なシナリオにおいて、前記キャリアとセルの概念が同等であると考えられることができる。例えば、キャリア集約（ＣＡ：Ｃａｒｒｉｅｒ  Ａｇｇｒｅｇａｔｉｏｎ）シナリオにおいて、ＵＥにセカンダリキャリアを構成する場合、セカンダリキャリアのキャリアインデックスおよび前記セカンダリキャリアで動作するセルのセル識別子（Ｃｅｌｌ  ＩＤ：Ｃｅｌｌ  Ｉｎｄｅｎｔｉｆｙ）を同時に搬送し、この場合、キャリアとセルの概念が同等であると考えられることができ、例えば、ＵＥが１つのキャリアおよび接入１つのセルにアクセスすることは同等である。
【００５３】
本出願の実施例によって提供された方法および装置は、端末機器またはネットワーク機器に適用されることができ、前記端末機器またはネットワーク機器は、ハードウェア層、ハードウェア層の上で動作する動作システム、および動作システム層の上で動作するアプリケーション層を含む。前記ハードウェア層は、中央処理装置（ＣＰＵ：Ｃｅｎｔｒａｌ  Ｐｒｏｃｅｓｓｉｎｇ  Ｕｎｉｔ）、メモリ管理ユニット（ＭＭＵ：Ｍｅｍｏｒｙ  Ｍａｎａｇｅｍｅｎｔ  Ｕｎｉｔ）およびメモリ（メインメモリとも称される）などのハードウェアを含む。前記動作システムは、プロセス（Ｐｒｏｃｅｓｓ）を介してサービス処理を実現する、例えば、Ｌｉｎｕｘ動作システム、Ｕｎｉｘ動作システム、Ａｎｄｒｏｉｄ動作システム、ｉＯＳ動作システムまたはｗｉｎｄｏｗｓ動作システムなどの任意の１つまたは複数のコンピュータ動作システムであり得る。前記アプリケーション層は、ブラウザ、アドレス帳、ワープロソフトウェア、インスタントメッセージングソフトウェアなどのアプリケーションを含む。且つ、本出願の実施例は本出願の実施例によって提供された方法の実行主体の具体的な構造に対して特に限定しないが、本出願の実施例によって提供された方法のコードを記録したプログラムを実行することにより、本出願の実施例によって提供された方法に従って通信し、例えば、本出願の実施例によって提供された方法の実行主体は、端末機器またはネットワーク機器であってもよく、または、端末機器またはネットワーク機器における、プログラムを呼び出してプログラムを実行することができる機能モジュールであってもよい。
【００５４】
なお、本出願の実施例の各態様または特徴は、方法、装置または標準的なプログラミングおよび／またはエンジニアリング技術を使用した製造品として具現されることができる。本出願で使用した「製造品」という用語は、任意のコンピュータ読み取り可能なデバイス、キャリアまたは媒体からアクセス可能なコンピュータプログラムを含む。例えば、コンピュータ読み取り可能な媒体は、磁気記憶装置（例えば、ハードディスク、フロッピーディスクまたは磁気テープなど）、光ディスク（例えば、コンパクトディスク（ＣＤ：Ｃｏｍｐａｃｔ  Ｄｉｓｃ）、デジタル多用途ディスク（ＤＶＤ：Ｄｉｇｉｔａｌ  Ｖｅｒｓａｔｉｌｅ  Ｄｉｓｃ）等）、スマートカードおよびフラッシュメモリデバイス（例えば、消去可能なプログラム可能な読み取り専用メモリ（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、カード、スティックまたはキードライバなど）を含むことができるが、これらに限定されない。さらに、本明細書で説明された様々な記憶媒体は、情報を記憶するための１つまたは複数の装置および／または他の機械読み取り可能な媒体を表すことができる。「機械読み取り可能な媒体」という用語は、無線チャネルおよび命令および／またはデータを格納、収容および／または搬送することができる様々な他の媒体を含むことができるが、これらに限定されない。
【００５５】
図１は、本出願の実施例の通信システムの概略図である。図１に示されたように、前記通信システム１００は、ネットワーク機器１１０および端末機器１２０を含み、ネットワーク機器１１０は、ビームフォーミング（ｂｅａｍ  ｆｏｒｍｉｎｇ）の方式により、共有のダウンリンク制御情報（ＤＣＩ：Ｄｏｗｎｌｉｎｋ  Ｃｏｎｔｒｏｌ  Ｉｎｆｏｒｍａｔｉｏｎ）または事前に定義された参照信号など、ダウンリンクの物理チャネルまたは参照信号を端末機器１２０に送信することができ、端末機器１２０が前記ＤＣＩ情報または前記参照信号を検出した後、現在のダウンリンク伝送機会の開始位置および／または終了位置を決定することができ、さらに、現在の伝送機会の開始位置および／または終了位置に従って前記ネットワーク機器によって送信されたダウンリンクチャネルのチャネル状態情報（ＣＳＩ：Ｃｈａｎｎｅｌ  Ｓｔａｔｅ  Ｉｎｆｏｒｍａｔｉｏｎ）を測定することにより、ネットワーク機器との通常のデータ通信を実現することができる。
【００５６】
高周波数シナリオでの信号伝送のフェージングがひどいため、ネットワーク機器１１０がＤＣＩまたは参照信号を送信すると、少なくとも２つの方向のビームフォーミング（例えば、ビームフォーミング１３０およびビームフォーミング１４０など）を介して前記ＤＣＩまたは参照信号を処理して、異なる方向の端末機器が前記ＤＣＩまたは参照信号を正しく受信する確率を向上させることができる。
【００５７】
本出願の実施例のダウンリンク物理チャネルは、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）、物理ＨＡＲＱインジケータチャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）、物理マルチキャストチャネル（ＰＭＣＨ：Ｐｈｙｓｉｃａｌ  Ｍｕｌｔｉｃａｓｔ  Ｃｈａｎｎｅｌ）、物理報知チャネル（ＰＢＣＨ：Ｐｈｙｓｉｃａｌ  Ｂｒｏａｄｃａｓｔ  Ｃｈａｎｎｅｌ）などを含み得ることに留意されたい。参照信号は、位相追跡参照信号（ＰＴ−ＲＳ：Ｐｈａｓｅ  Ｔｒａｃｋｉｎｇ  Ｒｅｆｅｒｅｎｃｅ  Ｓｉｇｎａｌ）、復調用参照信号（ＤＭＲＳ：ＤｅＭｏｄｕｌａｔｉｏｎ  Ｒｅｆｅｒｅｎｃｅ  Ｓｉｇｎａｌ）、チャネル状態情報参照信号（ＣＳＩ−ＲＳ：Ｃｈａｎｎｅｌ  Ｓｔａｔｅ  Ｉｎｆｏｒｍａｔｉｏｎ−  Ｒｅｆｅｒｅｎｃｅ  Ｓｉｇｎａｌ）などを含み得、ここで、ＤＭＲＳはダウンリンクチャネルの復調に使用され、ＣＳＩ−ＲＳはダウンリンクチャネルの測定に使用され、ＰＴ−ＲＳはダウンリンク時間周波数同期または位相追跡に使用される。
【００５８】
なお、前記通信システム１００はＰＬＭＮネットワークまたはＤ２ＤネットワークまたはＭ２Ｍネットワークまたは他のネットワークであり得、図１は例を挙げるために簡略化した概略図であり、ネットワークは他のネットワーク機器をさらに含み得、図１に示されない。
【００５９】
以下、本出願の実施例の無線通信用の時間領域リソースを詳しく説明する。
【００６０】
本出願の実施例において、ネットワーク機器および端末機器の無線通信（アップリンク伝送またはダウンリンク伝送など）用の時間領域リソースは、競合メカニズムに基づいて使用される時間領域リソースである。
【００６１】
例えば、ネットワーク機器および／または端末機器は、特定の帯域幅（２０ＭＨｚなど）を有する時間領域リソースが現在アイドル状態であるかどうか、または、前記時間領域リソースが他の機器によって使用されるかどうかを検出することができる。
【００６２】
前記時間領域リソースがアイドル状態であり、または、前記時間領域リソースが他の機器に使用されてないと、ネットワーク機器および／または端末機器は前記時間領域リソースを使用して、アップリンク伝送またはダウンリンク伝送などの通信を行うことができる。
【００６３】
前記時間領域リソースがアイドル状態ではなく、または、前記時間領域リソースが他の機器に使用された場合、ネットワーク機器および／または端末機器は前記時間領域リソースを使用することができない。
【００６４】
本出願の実施例において、上記した競合メカニズムの具体的な方法およびプロセスは先行技術と同様であることができ、ここでは、繰り返しを避けるために、詳細な説明を省略する。
【００６５】
本出願の実施例において、前記通信システム１００が使用する時間領域リソース（または、ネットワーク機器および端末機器競合メカニズムに基づいて使用される時間領域リソース）はライセンススペクトルリソースであってもよく、即ち、本出願の実施例の通信システム１００は、ライセンス周波数帯域を使用することができる通信システムであり、さらに、通信システム１００における各通信機器（ネットワーク機器および／または端末機器）は競合方法を採用して前記ライセンススペクトルの時間領域リソースを使用することができることは例示的であり、限定することではない。
【００６６】
「ライセンス時間領域リソース」は、「許可スペクトルリソース」または「許可キャリア」とも称されることができ、当該ライセンス時間領域リソースとは、国または地方の無線委員会が承認してこそ使用可能な時間領域リソースを指し、ＬＴＥシステムおよびＷｉＦｉシステムなどの異なるシステム、または、異なるオペレータに含まれたシステムは許可時間領域リソースを共有して使用することができない。
【００６７】
ライセンススペクトルリソースは、政府の無線管理委員会によって境界を定められ、モバイルオペレータ、民間航空、鉄道、警察などが専用するスペクトルリソースを有することができ、政策の独占性により、許可スペクトルリソースのサービス品質は一般的に保証され、スケジューリング制御を実行するときも比較的に容易である。
【００６８】
または、本出願の実施例において、前記通信システム１００が使用する時間領域リソース（または、ネットワーク機器および端末機器競合メカニズムに基づいて使用される時間領域リソースである）は、アンライセンス時間領域リソースであり得る。
【００６９】
「アンライセンス時間領域リソース」とは、「非許可スペクトルリソース」または「非許可キャリア」とも称されることができ、各通信機器がアンライセンス時間領域を共有して使用することができるリソースを指す。ここで、「アンライセンス時間領域のリソースを共有する」とは、前記時間領域を共同で使用する複数の機器間が基本的な共存要件を満たすことを保証するために、前記時間領域の複数の機器間特定のスペクトルの使用に対して送信パワーのみを規定し、帯域外漏れなどのインジケータを制限し、オペレータは、アンライセンス時間領域リソースを使用してネットワーク容量分散の目的を達成することができるが、異なる地域および異なるスペクトルにおけるアンライセンス時間領域リソースの規制要件を準拠する必要がある。これらの要求は、通常、レーダなどの公共システムを保護し、および送信パワー制限、帯域外漏れインジケータ、室内及び室外の使用制限など、複数のシステム間に有害な影響をできる限り引き起こさず、公平的に共存することを保証するために作成され、および特定の地域は付加したいくつかの共存戦略がある。例えば、各通信機器は、競合方式またはモニタリング方式、例えば、リスニングビフォアトーク（ＬＢＴ）が規定した方式によって使用される時間領域リソースを使用することができる。
【００７０】
アンライセンススペクトルリソースは関連する政府部門によって規定されたスペクトルリソースであり得るが、無線技術、運営会社および耐用年数に対して限定せず、同時に、前記時間領域のサービス品質も保証しない。非許可スペクトルリソースを適用した通信機器が送信パワー、帯域外漏れなどのインジケータの要件のみを満たすと、無料で使用することができる。通常の非許可スペクトルリソースを適用して通信するシステムはＷｉ−Ｆｉシステムなどを含む。
【００７１】
本出願の実施例において、前記アンライセンススペクトルリソースは、５ギガヘルツ（ＧＨｚ：Ｇｉｇａ  Ｈｅｒｔｚ）に近い時間領域、２．４ＧＨｚに近い時間領域、３．５ＧＨｚに近い時間領域、３７ＧＨｚに近い時間領域、６０ＧＨｚに近い時間領域を含み得ることは、例示的であり、限定することではない。
【００７２】
さらに、アンライセンス時間領域のＬＴＥシステムのフレーム構造は、伝送機会の概念を導入し、即ち、ネットワーク機器の伝送は日和見的であり、ＬＢＴが成功した場合にのみデータ伝送を実行し、ＬＢＴが失敗した場合、データ伝送を実行することができない。
【００７３】
このようにして、ＮＲ技術をアンライセンススペクトルに使用すると、ＮＲシステムにＣＲＳがないため、ＣＲＳの有無を検出することにより、サブフレームにネットワーク機器のダウンリンク伝送方式を実行することができない場合があるかどうかを判断する。
【００７４】
これを鑑みて、本出願の実施例は情報伝送方法を提供し、前記方法は、端末機器がネットワーク機器によって伝送される時間周波数リソースを識別することができるようにし、それにより、ネットワーク機器と端末機器との間の通常の通信を完了する。
【００７５】
以下、図２ないし図６を参照して、本出願の実施例の情報伝送方法を説明し、以下の説明で「時間周波数リソース」は周波数領域のリソースを含んでもよく、時間領域のリソースを含んでもよく、本出願の実施例において、主に、周波数領域のリソースの使用方式に関し、したがって、以下で説明される本出願の実施例の情報伝送方法のプロセスで「時間周波数リソース」に対する使用方式とは、主に、周波数領域のリソース対する使用を指し、時間領域のリソースの使用方式は先行技術と同じまたは類似してもよく、ここで、繰り返しを避けるため、詳細な説明を省略することに留意されたい。
【００７６】
図２ないし図６は、本出願の実施例の情報伝送方法の例示的なフローチャートであり、前記方法の詳細な通信ステップまたは操作を示すが、これらのステップまたは操作は例示的なものに過ぎず、本出願の実施例は、他の操作または図２ないし図６の様々な操作の変形を実行することもできある。
【００７７】
なお、図２ないし図６の各ステップは、図２ないし図６に示されたものと異なる順序に従ってそれぞれ実行されることができ、図２ないし図６のすべての操作を必ず実行する必要がある可能性もある。
【００７８】
図２は、本出願の実施例に係る情報伝送方法２００の例示的なフローチャートであり、図２に示されたように、前記方法２００は、次のコンテンツを含む。
【００７９】
ステップＳ２０１において、前記ネットワーク機器は、使用可能な第１時間周波数リソースを決定し、前記第１時間周波数リソースは、第１ダウンリンク伝送機会における時間周波数リソースである。
【００８０】
ステップＳ２０２において、前記ネットワーク機器は、前記第１時間周波数リソースを介して第１情報を前記端末機器に送信し、前記第１情報は、前記端末機器が、前記第１時間周波数リソースがダウンリンク時間周波数リソースであることを決定するために使用され、且つ、前記第１情報は、さらに、前記第１ダウンリンク伝送機会の終了位置を決定するために使用され、前記第１情報は、第１ビームフォーミング処理後に取得された情報である。
【００８１】
本出願の実施例において、ネットワーク機器がアンライセンススペクトルで信号伝送を実行する前に、前記ネットワーク機器はアンライセンススペクトルのキャリアに対してＬＢＴ検出を実行し、ＬＢＴが成功した後に、前記ネットワーク機器は一回のダウンリンク伝送機会を取得し、前記一回のダウンリンク伝送機会で、前記ネットワーク機器はダウンリンク伝送を実行することができる。ここで、一回のダウンリンク伝送機会は、ネットワーク機器によって連続して伝送される時間ユニットとして定義されることができ、１つの時間ユニットは、１つのまたは複数のサブフレームとして定義されてもよく、１つのまたは複数のタイムスロットとして定義されてもよく、または１つのまたは複数のマイクロタイムスロットなどとして定義されてもよく、本出願の実施例はこれらに限定されない。
【００８２】
例示的に、本出願の実施例において、前記第１ダウンリンク伝送機会は、１つの時間周波数リソースを含んでもよく、複数の時間周波数リソースを含んでもよく、ここで、前記第１時間周波数リソースは、前記第１ダウンリンク伝送機会における最初の時間周波数リソースであってもよく、即ち、前記第１時間周波数リソースの周波数領域位置は前記第１ダウンリンク伝送機会における他の時間周波数リソースの周波数領域位置より早いことであり、前記第１ダウンリンク伝送機会における真ん中に位置する時間周波数リソースであってもよく、即ち、前記第１時間周波数リソースの前に前記第１ダウンリンク伝送機会における他の時間周波数リソースがあることであり、または前記第１ダウンリンク伝送機会における最後の１つの時間周波数リソースであってもよく、即ち、前記第１時間周波数リソースの周波数領域位置が前記第１ダウンリンク伝送機会における他の時間周波数リソースの周波数領域位置より遅いことであり、本出願の実施例はこれらに対して特に限定しない。
【００８３】
本出願の実施例における一回のダウンリンク伝送機会の開始時間ユニットおよび／または終了時間ユニットは、完全な１つのサブフレーム、１つのタイムスロットまたは１つのマイクロタイムスロットなどの、完全な時間ユニットであってもよく、一部のサブフレーム、一部のタイムスロットまたは一部のマイクロタイムスロットなどの、一部の時間ユニットなどであってもよく、本出願の実施例はこれらに限定されないことを理解されたい。
【００８４】
ネットワーク機器は、ＤＣＩまたは参照信号を一回のダウンリンク伝送機会における一部のまたはすべての時間ユニットで送信することができ、端末機器が前記ＤＣＩまたは参照信号を受信した後に、現在の時間ユニットにネットワーク機器のダウンリンク伝送があるかどうかを判断することができ、即ち、前記ネットワーク機器がダウンリンク伝送を現在の時間ユニットで実行するかどうかを判断することができる。ここで、前記ＤＣＩは、共有のＰＤＣＣＨを介して伝送されてもよく、１グループのＰＤＣＣＨを介して伝送されてもよく、前記参照信号のシーケンスはセル識別子に従って生成されてもよく、または前記参照信号のシーケンスは事前に定義されてもよく、本出願の実施例はこれらに対して限定しない。
【００８５】
本出願の実施例において、前記ＤＣＩまたは参照信号は指示情報を搬送することができ、前記指示情報は、端末機器が、前記指示情報を伝送する時間周波数リソースがダウンリンク時間周波数リソースであることを決定するために使用されることができ、即ち、前記端末機器は、前記指示情報に従って現在の時間ユニットにネットワーク機器のダウンリンク伝送があるかどうかを判断することができる。さらに、前記指示情報は、端末機器が現在のダウンリンク伝送機会の終了位置を決定するために使用されることもでき、このようにして、前記端末機器は現在のダウンリンク伝送機会の終了位置に従って、前記ネットワーク機器がダウンリンク伝送をいつ停止するかを決定することができ、それにより、ネットワーク機器との通常のデータ通信を実現することができる。
【００８６】
例示的に、前記指示情報は完全なダウンリンク時間ユニットで伝送される。さらに例示的に、前記端末機器が前記指示情報に従って現在の時間ユニットにネットワーク機器のダウンリンク伝送があるかどうかを判断することは、前記端末機器が、前記指示情報に従って、ネットワーク機器が現在の時間ユニットに含まれたすべての時間リソースにダウンリンク伝送があると決定することができることを含む。
【００８７】
いくつかの例示的な実施例において、ネットワーク機器が時間ユニットの開始時にチャネルの使用権を取得してないが、前記時間ユニットの間でチャネルの使用権を取得すれば、前記ネットワーク機器は、依然として、前記時間ユニットの残りの一部の時間ユニットに対してダウンリンク伝送を実行することができることに留意されたい。または、前記ネットワーク機器は、１つの時間ユニットにおける前の一部の時間リソースをダウンリンク伝送に使用し、後の一部の時間リソースをアップリンク伝送に使用することができる。または、前記ネットワーク機器は、１つの時間ユニットにおける前の一部の時間リソースをアップリンク伝送に使用し、後の一部の時間リソースをダウンリンク伝送に使用することができる。１つの時間ユニットにおける一部の時間リソースがダウンリンク伝送に使用される場合、ネットワーク機器は前記指示情報を送信してもよく、前記指示情報を送信しなくてもよく、いくつかの場合では前記指示情報を送信し、他のいくつかの場合では前記指示情報を送信しなくてもよく（例えば、前記一部の時間ユニットが前の一部の時間ユニットである場合、前記指示情報を送信し、前記一部の時間ユニットが後の一部の時間ユニットである場合、前記指示情報を送信しない）、本発明はこれらに対して限定しない。
【００８８】
例示的に、前記指示情報は完全または一部のダウンリンク時間ユニットで伝送される。さらに例示的に、前記端末機器が前記指示情報に従って現在の時間ユニットにネットワーク機器のダウンリンク伝送があるかどうかを判断することは、前記端末機器が、前記指示情報に従って、ネットワーク機器が現在の時間ユニットに含まれたすべての時間リソースまたは一部の時間リソースにダウンリンク伝送があると判断することができることを含む。
【００８９】
前記指示情報が第１時間周波数リソースを介して伝送されると、前記指示情報は以上に記載の第１情報に対応することができ、または、前記指示情報が第１時間周波数リソースの後の第２時間周波数リソースを介して伝送されると、前記指示情報は第２情報として表記され、前記第１情報および第２情報は、両方とも端末機器が第１ダウンリンク伝送機会の終了位置を決定するために使用され、ここで、第１情報に従って決定した第１ダウンリンク伝送機会の終了位置と第２情報に従って決定した第１ダウンリンク伝送機会の終了位置は同じでも、異なってもよく、異なると、第１ダウンリンク伝送機会の終了位置が更新されたことを表し、さらに、端末機器は更新された第１ダウンリンク伝送機会の終了位置に従ってネットワーク機器とのデータ通信を実行することができることに留意されたい。
【００９０】
以下、図３と組み合わせて、本出願の実施例に係る情報伝送方法の実現プロセスを詳細に説明し、特定の時間で、ネットワーク機器はチャネルの使用権を先取りし、即ち、ＬＢＴが成功し、それにより、ネットワーク機器は一回のダウンリンク伝送機会を取得し、第１ダウンリンク伝送機会として表記され、前記第１ダウンリンク伝送機会が４つの時間ユニットを含むことを例とすると、前記ネットワーク機器は前記第１ダウンリンク伝送機会における各時間ユニットのそれぞれに、前記指示情報を伝送するための時間周波数リソース（第１時間周波数リソース、第２時間周波数リソース、第３時間周波数リソースおよび第４時間周波数リソースなど）を含むことができ、各時間ユニットの時間周波数リソースは事前に定義されてもよく（通信規格により前記時間周波数リソースが１つの時間ユニット上の位置を事前に規定するなど）、上位層によって構成されてもよく（ＲＲＣシグナリングまたはＭＡＣ層シグナリングによって構成されるなど）、動的に指示されてもよく（物理層シグナリングを介して指示されるなど）、本出願の実施例はこれらに限定されない。
【００９１】
高周波数シナリオでの信号伝送のフェージングがひどいため、ネットワーク機器は、端末が前記指示情報を正しく受信する確率を向上させるために、前記指示情報に対してビームフォーミング処理を実行し、その後、また前記指示情報を送信することができる。さらに、異なる方向の端末機器のすべてが前記指示情報を正しく受信するようにするため、ネットワーク機器は少なくとも２つの異なる方向のビームフォーミングの方式により前記指示情報を送信することもできる。例えば、ネットワーク機器は、第１ビームフォーミング方向を介して第１時間周波数リソースで前記指示情報、即ち、以上に記載の第１情報を送信することができ、第２ビームフォーミング方向を介して第２時間周波数リソースで前記指示情報を送信し、第３ビームフォーミング方向を介して第３時間周波数リソースで前記指示情報を送信し、第４ビームフォーミング方向を介して第４時間周波数リソースで前記指示情報を送信し、ここで、第１ビームフォーミング、第２ビームフォーミング、第３ビームフォーミングおよび第４ビームフォーミングのうちの少なくとも２つのビームフォーミングの方向は異なる。
【００９２】
本出願の実施例において、第１時間周波数リソース、第２時間周波数リソース、第３時間周波数リソースおよび第４時間周波数リソースによって送信された指示情報は同じでも、異なってもよく、例えば、異なる時間周波数リソースによって送信された指示情報は同じ第１ダウンリンク伝送機会の終了位置を指示するために使用されてもよく、異なる第１ダウンリンク伝送機会の終了位置を指示するために使用されてもよく、即ち、第１時間周波数リソースによって伝送された第１情報および第２時間周波数リソースによって伝送された第２情報は同じ終了位置を指示することができ、異なる終了位置を指示することもでき、本出願の実施例はこれらに対して限定しないことを理解されたい。
【００９３】
例示的に、本出願の実施例において、前記指示情報は、第１ダウンリンク伝送機会の終了位置を決定するために使用される。例えば、前記指示情報は、第１ダウンリンク伝送機会の終了時間ユニットの番号を指示するために使用されることができる。第１ダウンリンク伝送機会の終了時間ユニットがタイムスロット４であると仮定すると、前記指示情報は、タイムスロット４を指示するために使用される。さらに例えば、前記指示情報は前記第１ダウンリンク伝送機会における残りの時間ユニットの数、即ち、現在の時間ユニットから始めあといくつの時間ユニットがダウンリンク伝送に使用されることができるかを指示するために使用されることもでき、それにより、前記端末機器は前記第１ダウンリンク伝送機会の残りの時間ユニットの数に従って前記第１ダウンリンク伝送機会の終了位置を決定する。
【００９４】
例えば、図３のように、第１ダウンリンク伝送機会の最初の時間ユニットでは、前記指示情報は３を指示し、即ち、第１時間周波数リソースで受信された前記指示情報（即ち、第１情報）は３を指示するために使用されることができ、第１ダウンリンク伝送機会における残りの時間ユニットの数が３であることを表し、現在の時間ユニットがタイムスロット１であると、第１ダウンリンク伝送機会の終了位置はタイムスロット４である。
【００９５】
第１ダウンリンク伝送機会の２番目時間ユニットでは、前記指示情報は２を指示し、即ち、第２時間周波数リソースで受信される前記指示情報（第２情報と表記される）は２を指示するために使用されることができ、第１ダウンリンク伝送機会における残りの時間ユニットの数が２であることを意味し、現在の時間ユニットがタイムスロット２であると、第１ダウンリンク伝送機会の終了位置はタイムスロット４である。
【００９６】
第１ダウンリンク伝送機会の３番目の時間ユニットでは、前記指示情報は２を指示し、即ち、第３の時間周波数リソースで受信される前記指示情報（第３の情報と表記される）は２を指示するために使用されることができ、第１ダウンリンク伝送機会における残りの時間ユニットの数が２であることを意味し、現在の時間ユニットがタイムスロット２であると、第１ダウンリンク伝送機会の終了位置はタイムスロット４である。
【００９７】
第１ダウンリンク伝送機会の４番目の時間ユニットにおいて、前記指示情報は０を指示することができ、即ち、第４時間周波数リソースで受信される前記指示情報（第４情報と表記される）は０を指示するために使用されることができ、第１ダウンリンク伝送機会における残りの時間ユニットの数が０であることを意味し、現在の時間ユニットがタイムスロット４であると、現在の時間ユニットは、即ち、第１ダウンリンク伝送機会の終了位置である。
【００９８】
したがって、端末機器は第１ダウンリンク伝送機会のうちのいずれか１つの時間ユニットの指示情報を検出ことにより、前記第１ダウンリンク伝送機会の終了位置を決定することができる。例示的に、異なる時間ユニットの指示情報に従って決定された第１ダウンリンク伝送機会の終了位置が異なると、最後に受信された指示情報によって指示された第１ダウンリンク伝送機会の終了位置を基準とする。
【００９９】
例示的に、いくつかの実施例において、前記指示情報は、さらに、第１ダウンリンク伝送機会の開始位置を決定するために使用されることができる。例えば、第１ダウンリンク伝送機会の最初の時間ユニットで受信される前記指示情報（即ち、第１情報）は０を指示するために使用されることができ、第１ダウンリンク伝送機会の２番目の時間ユニットで受信される前記指示情報（即ち、第２情報）は１を指示するために使用されることができ、第１ダウンリンク伝送機会の３番目の時間ユニットで受信される前記指示情報（即ち、第３情報）は２を指示するために使用されることができ、第１ダウンリンク伝送機会の４番目の時間ユニットで受信される前記指示情報（即ち、第４情報）は３を指示するために使用されることができる。したがって、端末機器は、第１ダウンリンク伝送機会のうちのいずれか１つの時間ユニットの指示情報を検出することにより、前記第１ダウンリンク伝送機会の開始位置を決定することができ、さらに、第１ダウンリンク伝送機会の開始位置に従って、ネットワーク機器との通常のデータ通信を実行することができる。
【０１００】
例示的に、いくつかの実施例において、前記指示情報は、さらに、前記指示情報が位置する時間ユニットが前記第１ダウンリンク伝送機会での位置を決定するために使用されることができる。例えば、前記指示情報は、前記第１ダウンリンク伝送機会における最初の時間ユニット、または最後の時間ユニット、または事前に定義されたＫ（Ｋは１より大きい正の整数である）番目の時間ユニットに対する、前記指示情報が位置する時間ユニットの位置を指示するために使用されることができ、それにより、端末機器が前記指示情報を受信した後、前記第１ダウンリンク伝送機会における前記指示情報が位置する時間ユニットの位置を決定することができるため、前記第１ダウンリンク伝送機会の開始位置および／または終了位置を決定することができ、さらに、前記第１ダウンリンク伝送機会の開始位置および／または終了位置に従って、ネットワーク機器との通常のデータ通信を実行することができる。
【０１０１】
例示的に、いくつかの実施例において、前記指示情報は、前記指示情報を伝送するために使用されるビームフォーミングのビーム識別子情報を搬送することもできる。例えば、図３のように、第１時間周波数リソース、第２時間周波数リソース、第３時間周波数リソース、第４時間周波数リソースの対応する指示情報を伝送するためのビームの識別子がそれぞれ＃０、＃２、＃４、＃６であると仮定すると、第１ダウンリンク伝送機会の最初の時間ユニットで伝送される指示情報（即ち、第１情報）が搬送するビーム識別子情報は＃０であり得、第１ダウンリンク伝送機会の２番目の時間ユニットで伝送される指示情報（即ち、第２情報）が搬送するビーム識別子情報は＃２であり得、第１ダウンリンク伝送機会の３番目の時間ユニットで伝送される指示情報（即ち、第３ダウンリンク）が搬送するビーム識別子情報は＃４であり得、第１ダウンリンク伝送機会の４番目の時間ユニットで伝送される指示情報（即ち、第４情報）が搬送するビーム識別子情報は＃６であり得る。
【０１０２】
例示的に、本出願の実施例において、異なる時間周波数リソースによって伝送された指示情報はビームフォーミング処理後に取得された情報であり得、例えば、第１情報は第１ビームフォーミング処理後に取得された的情報であり得、第２情報は第２ビームフォーミング処理後に取得された情報であり得、ここで、前記第１ビームフォーミングのビーム識別子および前記第２ビームフォーミングのビーム識別子は同じでも、異なってもよく、前記第１ビームフォーミングおよび前記第２ビームフォーミングの方向は同じでも、異なってもよく、本出願の実施例はこれらに対して限定しない。
【０１０３】
例示的に、いくつかの実施例において、前記指示情報は、前記ネットワーク機器が配置されたセルの識別子情報を搬送することもできる。
【０１０４】
例示的に、本出願の実施例において、前記第１ビームフォーミングは、前記第１ダウンリンク伝送機会における最初の時間ユニットに適用され、または、
前記第１ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会における最初のｐ個の時間単位のうちの少なくとも１つの時間ユニットに適用され、ｐ＝ｃｅｉｌ（Ｐ／２）であり、ここで、前記Ｐは、前記第１ダウンリンク伝送機会に含まれる時間ユニットの数を表し、ｃｅｉｌ（）は切り上げを表す。
【０１０５】
即ち、第１ビームフォーミングは、第１ダウンリンク伝送機会の最初の時間ユニット、またはいくつかの特定の時間ユニットに適用され、以上の特定の時間ユニットの位置は例示的なものであるが、限定するものではなく、前記第１ビームフォーミングは、他の条件を満たす時間ユニットに適用されることもでき、本出願の実施例はこれらに対して限定しない。
【０１０６】
例示的に、いくつかの実施例において、前記第２ビームフォーミングは、前記第１ビームフォーミングに適用される時間ユニットの次の時間ユニットに適用され、または、
前記第２ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会における最後のｑ個の時間単位のうちの少なくとも１つの時間ユニットに適用され、ｑ＝ｆｌｏｏｒ（Ｐ／２）であり、ここで、前記Ｐは、前記第１ダウンリンク伝送機会に含まれる時間ユニットの数を表し、ｆｌｏｏｒ（）は切り上げを表す。
【０１０７】
即ち、第２ビームフォーミングは、第１ビームフォーミングが適用する時間ユニットの後の時間ユニット、またはいくつかの特定の時間ユニットに適用され、以上の特定の時間ユニットの位置は例示的なものに過ぎず、限定するものではなく、前記第２ビームフォーミングは、他の条件を満たす時間ユニットに適用されることもでき、本出願の実施例はこれらに対して限定しない。
【０１０８】
例示的に、本出願の実施例において、ＤＣＩまたは参照信号を正しく受信する確率を向上させるために、ネットワーク機器は少なくとも２つのビームフォーミングの方向を通じて前記指示情報を伝送することができる。以下、図４および図５と組み合わせて、２つのビームフォーミング方向を例として、前記情報の伝送をどうやって実現するかを紹介する。
【０１０９】
例示的に、１つの実施例として、第１ビームフォーミングは前記第１ダウンリンク伝送機会における最初のｐ個の時間単位における各時間ユニットに適用されることができ、第２ビームフォーミングは第１ダウンリンク伝送機会におけるＰ個の時間ユニットにおける最後のｑ個の時間単位における各時間ユニットに適用されることができ、ここで、ｐ＝ｃｅｉｌ（Ｐ／２）であり、ｑ＝ｆｌｏｏｒ（Ｐ／２）であり、ここで、Ｐは、前記第１ダウンリンク伝送機会に含まれる時間ユニットの数を表し、ｃｅｉｌ（）は切り上げを表し、ｆｌｏｏｒ（）は切り捨てを表す。
【０１１０】
例えば、図４において、Ｐの値は５であり、ｐは３であり、ｑは２であり、即ち、第１ビームフォーミングは第１ダウンリンク伝送機会における最初の３つの時間単位に適用され、第２ビームフォーミングは第１ダウンリンク伝送機会における最後の２つの時間単位に適用される。
【０１１１】
例示的に、別の実施例として、第１ビームフォーミングは第１ダウンリンク伝送機会におけるＰ個の時間ユニットにおけるｍ（ｍは奇数である）番目の時間ユニットに適用され、第２ビームフォーミングは第１ダウンリンク伝送機会におけるＰ個の時間ユニットにおけるｎ（ｎは偶数である）番目の時間ユニットに適用される。
【０１１２】
例えば、図５において、Ｐの値は５であり、第１ビームフォーミングは第１ダウンリンク伝送機会における１番目、３番目、５番目の時間ユニットに適用され、第２ビームフォーミングは第１ダウンリンク伝送機会における２番目、４番目の時間ユニットに適用される。
【０１１３】
したがって、本出願の実施例の情報伝送方法によれば、端末機器がＤＣＩまたは参照信号を受信した場合、ＤＣＩまたは参照信号によって搬送される指示情報に従って現在のダウンリンク伝送機会の開始位置および／または終了位置を決定することができ、さらに、前記ダウンリンク伝送機会の開始位置および／または終了位置に従って、ネットワーク機器との通常のデータ通信を実行する。さらに、信号伝送のフェージングがひどい場合、本出願の実施例の情報伝送方法では、ＤＣＩまたは参照信号を送信する場合、少なくとも２つの方向のビームフォーミングを介して前記ＤＣＩまたは参照信号を処理することができ、異なる方向の端末機器が前記ＤＣＩまたは参照信号を正しく受信する確率を向上させるのに有益である。
【０１１４】
以上は、図２ないし図５と組み合わせて、本出願の実施例に係る情報伝送方法をネットワーク機器の観点から詳細に説明し、以下は、図６と組み合わせて、本出願の別の実施例に係る情報伝送方法を端末機器からの観点から詳細に説明する。端末機器側の説明とネットワーク機器側の説明は互いに対応し、類似する説明は以上を参照することができ、繰り返しを避けるため、ここでは再度説明しない。
【０１１５】
図６は、本出願の別の実施例に係るデータを伝送する方法６００の例示的なフローチャートであり、前記方法６００は図１に示された通信システムにおける端末機器によって実行されることができ、図６に示されたように、前記方法６００はネットワーク機器および端末機器を含む通信システムに適用され、前記通信システムによって使用されるキャリア上の時間領域リソースは、競合メカニズムに基づいて使用される時間領域リソースであり、前記方法６００は、次のステップを含む。
【０１１６】
ステップＳ６０１において、前記端末機器は、第１時間周波数リソースを介して前記ネットワーク機器によって送信された第１情報を受信し、前記第１時間周波数リソースは、第１ダウンリンク伝送機会における時間周波数リソースである。
【０１１７】
ステップＳ６０２において、前記端末機器は、前記第１情報に従って前記第１時間周波数リソースがダウンリンク時間周波数リソースであることを決定し、前記第１情報は、さらに、前記第１ダウンリンク伝送機会の終了位置を決定するために使用され、前記第１情報は、第１ビームフォーミング処理後に取得された情報である。
【０１１８】
本出願の実施例において、端末機器は、最初はネットワーク機器がダウンリンク伝送を実行するための時間周波数リソースを知らないため、端末機器はブラインド検出の方式により第１情報を取得し、第１情報を取得した後、端末機器は第１情報に従ってネットワーク機器がダウンリンク伝送を実行するための時間周波数リソースを決定することができ、さらに、ネットワーク機器との通常のデータ通信を実行することができる。
【０１１９】
例示的に、いくつかの実施例において、前記第１情報は、さらに、
前記第１ダウンリンク伝送機会の開始位置、前記第１ダウンリンク伝送機会における前記第１時間周波数リソースの位置、前記第１ダウンリンク伝送機会における残りの時間ユニットの数、前記ネットワーク機器が配置されたセルの識別子または前記第１ビームフォーミングのビーム識別子のうちの少なくとも１つの情報を決定するために使用される。
【０１２０】
例示的に、いくつかの実施例において、前記端末機器が、第１時間周波数リソースを介して前記ネットワーク機器によって送信された第１情報を受信することは、
前記端末機器が、前記ネットワーク機器が前記第１時間周波数リソースでダウンリンク制御チャネルを介して伝送しまたは参照信号によって送信された前記第１情報を受信することを含む。
【０１２１】
例示的に、いくつかの実施例において、前記第１ビームフォーミングは、前記第１ダウンリンク伝送機会における最初の時間ユニットに適用され、または、
前記第１ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会における最初のｐ個の時間単位のうちの少なくとも１つの時間ユニットに適用され、ｐ＝ｃｅｉｌ（Ｐ／２）であり、ここで、前記Ｐは、前記第１ダウンリンク伝送機会に含まれる時間ユニットの数を表し、ｃｅｉｌ（）は切り上げを表す。
【０１２２】
例示的に、いくつかの実施例において、前記方法は、
前記端末機器が、前記ネットワーク機器が第２時間周波数リソースを介して送信した第２情報を受信することと、
前記端末機器が、前記第２情報に従って、前記第２時間周波数リソースがダウンリンク時間周波数リソースであることを決定することであって、前記第２情報は、さらに、前記第１ダウンリンク伝送機会の終了位置を決定するために使用され、前記第２情報は、第２ビームフォーミング処理後に取得された情報であり、前記第２時間周波数リソースは、前記第１ダウンリンク伝送機会における時間周波数リソースであり、前記第２時間周波数リソースは、前記第１時間周波数リソースより時間的に遅いこととをさらに含む。
【０１２３】
例示的に、いくつかの実施例において、前記第２情報は、さらに、
前記第１ダウンリンク伝送機会の開始位置、前記第１ダウンリンク伝送機会における前記第２時間周波数リソースの位置、前記第１ダウンリンク伝送機会における残りの時間ユニットの数、前記ネットワーク機器が配置されたセルの識別子または前記第２ビームフォーミングのビーム識別子のうちの少なくとも１つの情報を決定するために使用される。
【０１２４】
例示的に、いくつかの実施例において、前記第１ビームフォーミングのビーム識別子は、前記第２ビームフォーミングのビーム識別子とは異なる。
【０１２５】
例示的に、いくつかの実施例において、前記第２ビームフォーミングは、前記第１ビームフォーミングに適用される時間ユニットの次の時間ユニットに適用され、または、
前記第２ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会における最後のｑ個の時間単位のうちの少なくとも１つの時間ユニットに適用され、ｑ＝ｆｌｏｏｒ（Ｐ／２）であり、ここで、前記Ｐは、前記第１ダウンリンク伝送機会に含まれる時間ユニットの数を表し、ｆｌｏｏｒ（）は切り上げを表す。
【０１２６】
例示的に、いくつかの実施例において、前記方法６００は、
前記端末機器が、前記第１ダウンリンク伝送機会の開始位置および／または終了位置に従って、前記ネットワーク機器によって送信されたダウンリンクチャネルのチャネル状態情報を測定することをさらに含む。
【０１２７】
以上は図２ないし図６と組み合わせて、本出願の方法の実施例を詳細に説明し、以下は図４ないし図７と組み合わせて、本出願の装置の実施例を詳細に説明し、装置の実施例と方法実施例は相互に対応し、類似する説明は方法の実施例を参照することができることを理解されたい。
【０１２８】
図７は、本出願の実施例に係るネットワーク機器の例示的なブロック図である。前記ネットワーク機器７００が位置する通信システムによって使用されるキャリア上の時間領域リソースは、競合メカニズムに基づいて使用される時間領域リソースであり、図７のネットワーク機器７００は、
使用可能な第１時間周波数リソースを決定するように構成される決定モジュールで７１０あって、前記第１時間周波数リソースは、第１ダウンリンク伝送機会における時間周波数リソースである決定モジュール７１０と、
前記第１時間周波数リソースを介して第１情報を前記端末機器に送信するように構成される通信モジュール７２０であって、前記第１情報は、前記端末機器が、前記第１時間周波数リソースがダウンリンク時間周波数リソースであることを決定するために使用され、且つ、前記第１情報は、さらに、前記第１ダウンリンク伝送機会の終了位置を決定するために使用され、前記第１情報は、第１ビームフォーミング処理後に取得された情報である通信モジュール７２０とを含む。
【０１２９】
例示的に、いくつかの実施例において、前記第１情報は、さらに、
前記第１ダウンリンク伝送機会の開始位置、前記第１ダウンリンク伝送機会における前記第１時間周波数リソースの位置、前記第１ダウンリンク伝送機会における残りの時間ユニットの数、前記ネットワーク機器が配置されたセルの識別子または前記第１ビームフォーミングのビーム識別子のうちの少なくとも１つの情報を決定するために使用される。
【０１３０】
例示的に、いくつかの実施例において、前記通信モジュール７２０は、具体的に、
前記第１時間周波数リソースで、ダウンリンク制御チャネルまたは参照信号を介して前記第１情報を前記端末機器に送信するように構成される。
【０１３１】
例示的に、いくつかの実施例において、前記第１ビームフォーミングは、前記第１ダウンリンク伝送機会における最初の時間ユニットに適用され、または、
前記第１ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会における最初のｐ個の時間単位のうちの少なくとも１つの時間ユニットに適用され、ｐ＝ｃｅｉｌ（Ｐ／２）であり、ここで、前記Ｐは、前記第１ダウンリンク伝送機会に含まれる時間ユニットの数を表し、ｃｅｉｌ（）は切り上げを表す。
【０１３２】
例示的に、いくつかの実施例において、前記通信モジュール７２０は、さらに、
第２時間周波数リソースを介して第２情報を前記端末機器に送信するように構成され、前記第２情報は、前記端末機器が、前記第２時間周波数リソースがダウンリンク時間周波数リソースであることを決定するために使用され、且つ、前記第２情報は、さらに、前記第１ダウンリンク伝送機会の終了位置を決定するために使用され、前記第２情報は、第２ビームフォーミング処理後に取得された情報であり、前記第２時間周波数リソースは、前記第１ダウンリンク伝送機会における時間周波数リソースであり、前記第２時間周波数リソースは、前記第１時間周波数リソースより時間的に遅い。
【０１３３】
例示的に、いくつかの実施例において、前記第２情報は、さらに、
前記第１ダウンリンク伝送機会の開始位置、前記第１ダウンリンク伝送機会における前記第２時間周波数リソースの位置、前記第１ダウンリンク伝送機会における残りの時間ユニットの数、前記ネットワーク機器が配置されたセルの識別子または前記第２ビームフォーミングのビーム識別子のうちの少なくとも１つの情報を決定するために使用される。
【０１３４】
例示的に、いくつかの実施例において、前記第１ビームフォーミングのビーム識別子は、前記第２ビームフォーミングのビーム識別子とは異なる。
【０１３５】
例示的に、いくつかの実施例において、前記第２ビームフォーミングは、前記第１ビームフォーミングに適用される時間ユニットの次の時間ユニットに適用され、または、
前記第２ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会における最後のｑ個の時間単位のうちの少なくとも１つの時間ユニットに適用され、ｑ＝ｆｌｏｏｒ（Ｐ／２）であり、ここで、前記Ｐは、前記第１ダウンリンク伝送機会に含まれる時間ユニットの数を表し、ｆｌｏｏｒ（）は切り上げを表す。
【０１３６】
具体的に、前記ネットワーク機器７００は前記方法２００で説明したネットワーク機器に対応することができ（例えば、それらで構成されるかその本体がそれである）、さらに、前記ネットワーク機器７００の各モジュールまたはユニットそれぞれは、前記方法２００のネットワーク機器によって実行される各操作または処理プロセスを実行するように構成され、ここでは、繰り返しを避けるために、詳細な説明を省略する。
【０１３７】
図８は、本出願の実施例に係る端末機器の例示的なブロック図である。前記端末機器が属する通信システムによって使用されるキャリア上の時間領域リソースは、競合メカニズムに基づいて使用される時間領域リソースであり、図８の端末機器８００は、
第１時間周波数リソースを介してネットワーク機器によって送信された第１情報を受信するように構成される通信モジュール８１０であって、前記第１時間周波数リソースは、第１ダウンリンク伝送機会における時間周波数リソースである通信モジュール８１０と、
前記第１情報に従って前記第１時間周波数リソースがダウンリンク時間周波数リソースであることを決定するように構成される決定モジュール８２０であって、前記第１情報は、さらに、前記第１ダウンリンク伝送機会の終了位置を決定するために使用され、前記第１情報は、第１ビームフォーミング処理後に取得された情報である決定モジュール８２０とを含む。
【０１３８】
例示的に、いくつかの実施例において、前記第１情報は、さらに、
前記第１ダウンリンク伝送機会の開始位置、前記第１ダウンリンク伝送機会における前記第１時間周波数リソースの位置、前記第１ダウンリンク伝送機会における残りの時間ユニットの数、前記ネットワーク機器が配置されたセルの識別子または前記第１ビームフォーミングのビーム識別子のうちの少なくとも１つの情報を決定するために使用される。
【０１３９】
例示的に、いくつかの実施例において、前記通信モジュール８１０は、具体的に、
前記ネットワーク機器が前記第１時間周波数リソースでダウンリンク制御チャネルを介して伝送しまたは参照信号によって送信された前記第１情報を受信するように構成される。
【０１４０】
例示的に、いくつかの実施例において、前記第１ビームフォーミングは、前記第１ダウンリンク伝送機会における最初の時間ユニットに適用され、または、
前記第１ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会における最初のｐ個の時間単位のうちの少なくとも１つの時間ユニットに適用され、ｐ＝ｃｅｉｌ（Ｐ／２）であり、ここで、前記Ｐは、前記第１ダウンリンク伝送機会に含まれる時間ユニットの数を表し、ｃｅｉｌ（）は切り上げを表す。
【０１４１】
例示的に、いくつかの実施例において、前記通信モジュール８１０は、さらに、
前記ネットワーク機器が第２時間周波数リソースを介して送信した第２情報を受信するように構成され、
前記決定モジュール８２０は、さらに、
前記第２情報に従って、前記第２時間周波数リソースがダウンリンク時間周波数リソースであることを決定するように構成され、且つ、前記第２情報は、さらに、前記第１ダウンリンク伝送機会の終了位置を決定するために使用され、前記第２情報は、第２ビームフォーミング処理後に取得された情報であり、前記第２時間周波数リソースは、前記第１ダウンリンク伝送機会における時間周波数リソースであり、前記第２時間周波数リソースは、前記第１時間周波数リソースより時間的に遅い。
【０１４２】
例示的に、いくつかの実施例において、前記第２情報は、さらに、
前記第１ダウンリンク伝送機会の開始位置、前記第１ダウンリンク伝送機会における前記第２時間周波数リソースの位置、前記第１ダウンリンク伝送機会における残りの時間ユニットの数、前記ネットワーク機器が配置されたセルの識別子または前記第２ビームフォーミングのビーム識別子のうちの少なくとも１つの情報を決定するために使用される。
【０１４３】
例示的に、いくつかの実施例において、前記第１ビームフォーミングのビーム識別子は、前記第２ビームフォーミングのビーム識別子とは異なる。
【０１４４】
例示的に、いくつかの実施例において、前記第２ビームフォーミングは、前記第１ビームフォーミングに適用される時間ユニットの後の時間ユニットに適用され、または、
前記第２ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会における最後のｑ個の時間単位のうちの少なくとも１つの時間ユニットに適用され、ｑ＝ｆｌｏｏｒ（Ｐ／２）であり、ここで、前記Ｐは、前記第１ダウンリンク伝送機会に含まれる時間ユニットの数を表し、ｆｌｏｏｒ（）は切り上げを表す。
【０１４５】
例示的に、いくつかの実施例において、前記通信モジュール８１０は、さらに、
前記第１ダウンリンク伝送機会の開始位置および／または終了位置に従って、前記ネットワーク機器によって送信されたダウンリンクチャネルのチャネル状態情報を測定するように構成される。
【０１４６】
具体的に、前記端末機器８００は（例えば、それらで構成されるかその本体がそれである）前記方法６００で説明した端末機器に対応することができ、さらに、前記端末機器８００の各モジュールまたはユニットそれぞれは、前記方法６００の端末機器によって実行される各操作または処理プロセスを実行するように構成され、ここでは、繰り返しを避けるため、詳細な説明を略する。
【０１４７】
図９に示されたように、本出願の実施例はネットワーク機器９００をさらに提供し、前記ネットワーク機器９００は、図２の方法２００に対応するネットワーク機器のコンテンツを実行することができるように構成される図７のネットワーク機器７００であり得る。前記ネットワーク機器９００は、入力インターフェース９１０、出力インターフェース９２０、プロセッサ９３０およびメモリ９４０を含み、前記入力インターフェース９１０、出力インターフェース９２０、プロセッサ９３０およびメモリ９４０はバスシステムを介して接続する。前記メモリ９４０はプログラム、命令またはコードを記憶するように構成される。前記プロセッサ９３０は、入力インターフェース９１０の受信信号を制御し、出力インターフェース９２０の送信信号を制御しおよび前記方法の実施例の動作を完了するために、前記メモリ９４０のプログラム、命令またはコードを実行するように構成される。
【０１４８】
本出願の実施例において、前記プロセッサ９３０は、中央処理ユニット（ＣＰＵ：Ｃｅｎｔｒａｌ  Ｐｒｏｃｅｓｓｉｎｇ  Ｕｎｉｔ）であってもよく、前記プロセッサ９３０は、他の汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジックデバイス、ディスクリートハードウェアデバイスなどであってもよいことを理解されたい。汎用プロセッサはマイクロプロセッサであってもよく、または前記プロセッサは任意の従来のプロセッサなどであってもよい。
【０１４９】
前記メモリ９４０は、読み取り専用メモリおよびランダムアクセスメモリを含むことができ、プロセッサ９３０に命令およびデータを提供する。メモリ９４０の一部は、不揮発性ランダムアクセスメモリを含むこともできる。例えば、メモリ９４０は、さらに機器のタイプの情報を記憶することもできる。
【０１５０】
実現プロセスにおいて、上記した方法の各ステップは、プロセッサ９３０におけるハードウェアの集積論理回路またはソフトウェアの形の命令を介して完了されることができる。本出願の実施例と組み合わせて開示される方法の内容は、ハードウェアプロセッサに直接に具現されて実行し、またはプロセッサ内のハードウェアおよびソフトウェアモジュールの組み合わせによって実行して完了されてもよい。ソフトウェアモジュールは、ランダムメモリ、フラッシュメモリ、読み取り専用メモリ、プログラマブル読み取り専用メモリまたは電気的に消去可能なプログラマブルメモリ、レジスタなど従来の記憶媒体に配置されることができる。前記記憶媒体は、メモリ９４０に配置され、プロセッサ９３０は、メモリ９４０の情報を読み取り、そのハードウェアに結合して前記方法のコンテンツを完成する。繰り返しを避けるため、ここでは詳しく説明しない。
【０１５１】
具体的な実施形態において、図７のネットワーク機器７００が含む決定モジュール７１０は、図６のプロセッサ９３０を使用して実現することができ、図７のネットワーク機器７００が含む通信モジュール７２０は、図９の前記入力インターフェース９１０および前記出力インターフェース９２０を使用して実現することができる。
【０１５２】
図１０に示されたように、本出願の実施例は、端末機器１０００をさらに提供し、前記端末機器１０００は、図６の方法６００に対応する端末機器のコンテンツを実行するように構成されることができる図８の端末機器８００であってもよい。前記端末機器１０００は、入力インターフェース１０１０、出力インターフェース１０２０、プロセッサ１０３０およびメモリ１０４０を含み、前記入力インターフェース１０１０、出力インターフェース１０２０、プロセッサ１０３０およびメモリ１０４０はバスシステムを介して接続する。前記メモリ１０４０はプログラム、命令またはコードを記憶するように構成される。前記プロセッサ１０３０は、入力インターフェース１０１０の受信信号を制御し、出力インターフェース１０２０の送信信号を制御しおよび前記方法の実施例の動作を完了するために、前記メモリ１０４０のプログラム、命令またはコードを実行するように構成される。
【０１５３】
本出願の実施例において、前記プロセッサ１０３０は、中央処理ユニット（ＣＰＵ：Ｃｅｎｔｒａｌ  Ｐｒｏｃｅｓｓｉｎｇ  Ｕｎｉｔ）であってもよく、前記プロセッサ１０３０は、他の汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジックデバイス、ディスクリートハードウェアデバイスなどであってもよいことを理解されたい。汎用プロセッサはマイクロプロセッサであってもよく、または前記プロセッサは任意の従来のプロセッサなどであってもよい。
【０１５４】
前記メモリ１０４０は、読み取り専用メモリおよびランダムアクセスメモリを含むことができ、プロセッサ１０３０に命令およびデータを提供する。メモリ１０４０の一部は、不揮発性ランダムアクセスメモリを含むこともできる。例えば、メモリ１０４０は、さらに機器のタイプの情報を記憶することもできる。
【０１５５】
実現プロセスにおいて、上記した方法の各ステップは、プロセッサ１０３０におけるハードウェアの集積論理回路またはソフトウェアの形の命令を介して完了されることができる。本出願の実施例と組み合わせて開示される方法の内容は、ハードウェアプロセッサに直接に具現されて実行し、またはプロセッサ内のハードウェアおよびソフトウェアモジュールの組み合わせによって実行して完了されてもよい。ソフトウェアモジュールは、ランダムメモリ、フラッシュメモリ、読み取り専用メモリ、プログラマブル読み取り専用メモリまたは電気的に消去可能なプログラマブルメモリ、レジスタなど従来の記憶媒体に配置されることができる。前記記憶媒体は、メモリ１０４０に配置され、プロセッサ１０３０は、メモリ１０４０の情報を読み取り、そのハードウェアに結合して前記方法のコンテンツを完成する。繰り返しを避けるため、ここでは詳しく説明しない。
【０１５６】
具体的な実施形態において、図８の端末機器８００が含む決定モジュール８２０は、図１０のプロセッサ１０３０を使用して実現することができ、図８の端末機器８００が含む通信モジュール８１０は、図１０の前記入力インターフェース１０１０および前記出力インターフェース１０２０を使用して実現することができる。
【０１５７】
本出願の実施例は、コンピュータ読み取り可能な記憶媒体をさらに提供し、前記コンピュータ読み取り可能な記憶媒体は１つまたは複数のプログラムを含み、前記１つまたは複数のプログラムは命令を含み、前記命令は、複数のアプリケーションプログラムを含む携帯用電子機器によって実行されるときに、前記携帯用電子機器が図２ないし図６に示された実施例の方法を実行するようにすることができる。
【０１５８】
本出願の実施例は、コンピュータプログラムをさらに提供し、前記コンピュータプログラムは命令を含み、前記コンピュータプログラムがコンピュータによって実行されるときに、コンピュータが図２ないし図６に示された実施例の方法の対応するプロセスを実行するようにする。
【０１５９】
当業者は、本明細書で開示される実施例と組み合わせて説明された各例示のユニットおよびアルゴリズムステップは、電子ハードウェア、またはコンピュータソフトウェアと電子ハードウェアの組み合わせによって実現することができることを理解するであろう。これらの機能がハードウェアの形態で実行されるかソフトウェアの形で実行されるかは、技術的解決策の特定のアプリケーションと設計上の制約条件に依存する。専門技術者は、特定のアプリケーションごとに対して、異なる方法を使用して説明された機能を実現することができるが、このような実現は本出願の範囲を超えると見なされるべきではない。
【０１６０】
当業者は、説明の便宜上および簡潔にするために、上記に説明されたシステム、装置およびユニットの具体的な作業プロセスは、前述方法の実施例における対応するプロセスを参照することができることを明確に理解することができ、ここでは繰り返さない。
【０１６１】
本出願で提供されるいくつかの実施例では、開示されたシステム、装置および方法は、他の方法で実現されることができることを理解されたい。例えば、上記で説明された装置実施例は例示的なものに過ぎず、例えば、前記ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された相互結合または直接結合または通信接続は、電気的、機械的または他の形態の一部のインターフェース、装置またはユニットを介した関節結合または通信接続であり得る。
【０１６２】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際のニーズにしたがって、その中のユニットの一部または全部を選択して本実施例の技術案の目的を実現することができる。
【０１６３】
さらに、本出願の各実施例における各機能ユニットは、１つの処理ユニットに統合されてもよく、各ユニットが物理的に別個に存在してもよく、２つまたは２つ以上のユニットが１つのユニットに統合されてもよい。
【０１６４】
前記機器は、ソフトウェア機能ユニットの形で実現され、スタンドアロン製品として販売または使用される場合、コンピュータ読み取り可能な記憶媒体に記憶されることができる。このような理解に基づいて、本出願の技術的解決策は、本質的にまたは先行技術に対して寄与する部分または前記技術的解決策の一部は、ソフトウェア製品の形で具現されることができ、前記コンピュータソフトウェア製品は、１つの記憶媒体に記憶され、１台のコンピュータ機器（パーソナルコンピュータ、サーバ、またはネットワーク機器等であり得る）に本出願の各実施例に記載の方法の全部または一部のステップを実行させるためのいくつかの命令を含む。上記した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスクなどのプログラムコードを記憶することができる様々な媒体を含む。
【０１６５】
上記の内容は、本出願の具体的な実施形態に過ぎないが、本出願の保護範囲はこれに限定されず、当業者は、本出願に開示された技術的範囲内で容易に想到し得る変更または置換は、すべて本出願の保護範囲内に含まれるべきである。したがって、本出願の保護範囲は、特許請求の範囲の保護範囲に従うものとする。
【図１】
2021513816.tif 000003
【図２】
2021513816.tif 000004
【図３】
2021513816.tif 000005
【図４】
2021513816.tif 000006
【図５】
2021513816.tif 000007
【図６】
2021513816.tif 000008
【図７】
2021513816.tif 000009
【図８】
2021513816.tif 000010
【図９】
2021513816.tif 000011
【図１０】
2021513816.tif 000012
【手続補正書】
【提出日】令和2年11月30日(2020.11.30)
【手続補正１】
【補正対象書類名】明細書
【補正対象項目名】全文
【補正方法】変更
【補正の内容】
【発明の詳細な説明】
【技術分野】
【０００１】
本出願の実施例は、通信分野に関し、より具体的に、情報伝送方法、ネットワーク機器および端末機器に関する。
【背景技術】
【０００２】
ロングタームエボリューション（ＬＴＥ：Ｌｏｎｇ  Ｔｅｒｍ  Ｅｖｏｌｕｔｉｏｎ）に基づくライセンス補助アクセス（Ｌｉｃｅｎｓｅｄ−Ａｓｓｉｓｔｅｄ  Ａｃｃｅｓｓ）（ＬＡＡ−ＬＴＥ）システムでは、ライセンススペクトルのキャリアをメインキャリアとし、アンライセンススペクトルのキャリアをセカンダリキャリアとして端末機器に対してサービスを提供し、ここで、アンライセンススペクトルでは、通信機器は「リスニングビフォアトーク（ＬＢＴ：Ｌｉｓｔｅｎ  Ｂｅｆｏｒｅ  Ｔａｌｋ）」原則に準拠し、即ち、通信機器は、アンライセンススペクトルのチャネルで信号を送信する前に、チャネルセンシングを先に実行する必要があり、チャネルセンシング結果が、チャネルがアイドル状態である場合のみ、前記通信機器は信号を送信することができ、通信機器のアンライセンススペクトルのチャネルでのチャネルセンシング結果が、チャネルがビジー状態であることであれば、前記通信機器は信号を送信することができない。
【０００３】
ＬＡＡ−ＬＴＥシステムにおいて、ネットワーク機器の伝送は日和見的であり、ＬＢＴの成功のみデータ伝送を実行することができ、ＬＢＴが失敗するとデータ伝送を実行することができないため、前記ネットワーク機器がサービスするセルにおける端末機器は、ネットワーク機器がダウンリンク伝送をいつ実行し、ダウンリンク伝送をいつ終了するかを明確にする必要があり、それにより、ネットワークとの正しいデータ通信を実行する。
【０００４】
ＬＡＡ−ＬＴＥシステムにおいて、ネットワーク機器によって送信された各サブフレームのすべてはセル固有参照信号（ＣＲＳ：Ｃｅｌｌ−ｓｐｅｃｉｆｉｃ  Ｒｅｆｅｒｅｎｃｅ  Ｓｉｇｎａｌｓ）を有する。端末機器は、現在のサブフレームにＣＲＳが存在するかどうかを検出することにより、前記サブフレームにネットワーク機器のダウンリック伝送が存在するかどうかを判断することができ、それにより、ネットワーク機器との正しいデータ伝送を実行する。
【０００５】
しかし、ニューラジオ（ＮＲ：Ｎｅｗ  Ｒａｄｉｏ）技術をアンライセンススペクトルに適用すると、ＮＲシステムにはＣＲＳが存在しないため、この場合、端末機器は、ネットワーク機器との正しいデータ通信を実行することを実現するために、ネットワーク機器によってダウンリンク伝送が実行される時間周波数リソースを判断することは解決すべき課題である。
【発明の概要】
【発明が解決しようとする課題】
【０００６】
本出願の実施例は、端末機器がネットワークによるダウンリンク伝送のための時間周波数リソースを認識することを可能にすることができる、情報伝送方法、ネットワーク機器および端末機器を提供する。
【課題を解決するための手段】
【０００７】
第１態様によれば、ネットワーク機器および端末機器を含む通信システムに適用される情報伝送方法を提供し、前記通信システムによって使用されるキャリア上の周波数領域リソースは、競合メカニズムに基づいて使用される周波数領域リソースであり、前記方法は、
前記ネットワーク機器が、使用可能な第１時間周波数リソースを決定することであって、前記第１時間周波数リソースは、第１ダウンリンク伝送機会における時間周波数リソースであることと、
前記ネットワーク機器が前記第１時間周波数リソースを介して第１情報を前記端末機器に送信することであって、前記第１情報は、前記端末機器が、前記第１時間周波数リソースがダウンリンク時間周波数リソースであることを決定するために使用され、且つ、前記第１情報は、さらに、前記第１ダウンリンク伝送機会の終了位置を決定するために使用され、前記第１情報は、第１ビームフォーミング処理後に取得された情報であることとを含む。
【０００８】
例示的に、一回のダウンリンク伝送機会は、ネットワーク機器によって連続的に伝送される時間ユニットとして定義することができ、１つの時間ユニットは、１つのまたは複数のサブフレームとして定義してもよく、１つのまたは複数のタイムスロットとして定義してもよく、または１つのまたは複数のマイクロタイムスロットなどとして定義してもよく、本出願の実施例はこれらに限定されない。
【０００９】
本出願の実施例における一回のダウンリンク伝送機会の開始時間ユニットおよび／または終了時間ユニットは、例えば、完全な１つのサブフレーム、１つのタイムスロットまたは１つのマイクロタイムスロットなどの、完全な時間ユニットであってもよく、例えば、一部のサブフレーム、一部のタイムスロットまたは一部のマイクロタイムスロットなどの、一部の時間ユニットなどであってもよく、本出願の実施例はこれらに限定されない。
【００１０】
第１態様を参照すると、第１態様のいくつかの実現形態において、前記第１情報は、さらに、
前記第１ダウンリンク伝送機会の開始位置、前記第１ダウンリンク伝送機会における前記第１時間周波数リソースの位置、前記第１ダウンリンク伝送機会における残りの時間ユニットの数、前記ネットワーク機器が配置されたセルの識別子または前記第１ビームフォーミングのビーム識別子のうちの少なくとも１つの情報を決定するために使用される。
【００１１】
第１態様を参照すると、第１態様のいくつかの実現形態において、前記ネットワーク機器が前記第１時間周波数リソースを介して第１情報を前記端末機器に送信することは、
前記ネットワーク機器が、前記第１時間周波数リソースで、ダウンリンク制御チャネルまたは参照信号を介して前記第１情報を前記端末機器に送信することを含む。
【００１２】
前記第１情報は、ＤＣＩの一部のまたはすべてのコンテンツであってもよく、または、前記第１情報は、参照信号を介して伝送されることができる。ここで、前記ＤＣＩは、共有のＰＤＣＣＨを介して伝送されてもよく、１グループのＰＤＣＣＨを介して伝送されてもよく、または、前記参照信号のシーケンスはセル識別子に従って生成されてもよく、または前記参照信号のシーケンスは事前に定義してもよく、本出願の実施例はこれらに対して限定しない。
【００１３】
第１態様を参照すると、第１態様のいくつかの実現形態において、前記第１ビームフォーミングは、前記第１ダウンリンク伝送機会における最初の時間ユニットに適用され、または、
前記第１ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会における最初のｐ個の時間ユニットのうちの少なくとも１つの時間ユニットに適用され、ｐ＝ｃｅｉｌ（Ｐ／２）であり、ここで、前記Ｐは、前記第１ダウンリンク伝送機会に含まれる時間ユニットの数を表し、ｃｅｉｌ（）は切り上げを表す。
【００１４】
即ち、第１ビームフォーミングは、第１ダウンリンク伝送機会における最初の時間ユニット、またはいくつかの特定の時間ユニットに適用されることができ、以上の特定の時間ユニットの位置は例示的なものであるが、限定するものではなく、前記第１ビームフォーミングは、他の条件を満たす時間ユニットに適用されることもでき、本出願の実施例はこれらに対して限定しない。
【００１５】
第１態様を参照すると、第１態様のいくつかの実現形態において、前記方法は、
前記ネットワーク機器が第２時間周波数リソースを介して第２情報を前記端末機器に送信することであって、前記第２情報は、前記端末機器が、前記第２時間周波数リソースがダウンリンク時間周波数リソースであることを決定するために使用され、且つ、前記第２情報は、さらに、前記第１ダウンリンク伝送機会の終了位置を決定するために使用され、前記第２情報は、第２ビームフォーミング処理後に取得された情報であり、前記第２時間周波数リソースは、前記第１ダウンリンク伝送機会における時間周波数リソースであり、前記第２時間周波数リソースは、前記第１時間周波数リソースより時間的に遅いことをさらに含む。
【００１６】
前記第２情報は、ＤＣＩの一部のまたはすべてのコンテンツであってもよく、または、前記第２情報は、参照信号を介して伝送されることができる。ここで、前記ＤＣＩは、共有のＰＤＣＣＨを介して伝送されてもよく、１グループのＰＤＣＣＨを介して伝送されてもよく、または、前記参照信号のシーケンスはセル識別子に従って生成されてもよく、または前記参照信号のシーケンスは事前に定義してもよく、本出願の実施例はこれらに対して限定しない。
【００１７】
第１態様を参照すると、第１態様のいくつかの実現形態において、前記第２情報は、さらに、
前記第１ダウンリンク伝送機会の開始位置、前記第１ダウンリンク伝送機会における前記第２時間周波数リソースの位置、前記第１ダウンリンク伝送機会における残りの時間ユニットの数、前記ネットワーク機器が配置されたセルの識別子または前記第２ビームフォーミングのビーム識別子のうちの少なくとも１つの情報を決定するために使用される。
【００１８】
第１態様を参照すると、第１態様のいくつかの実現形態において、前記第１ビームフォーミングのビーム識別子は、前記第２ビームフォーミングのビーム識別子とは異なる。
【００１９】
第１態様を参照すると、第１態様のいくつかの実現形態において、前記第２ビームフォーミングは、前記第１ビームフォーミングに適用される時間ユニットの次の時間ユニットに適用され、または、
前記第２ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会における最後のｑ個の時間ユニットのうちの少なくとも１つの時間ユニットに適用され、ｑ＝ｆｌｏｏｒ（Ｐ／２）であり、ここで、前記Ｐは、前記第１ダウンリンク伝送機会に含まれる時間ユニットの数を表し、ｆｌｏｏｒ（）は切り上げを表す。
【００２０】
即ち、第２ビームフォーミングは、第１ビームフォーミングが適用する時間ユニットの後の時間ユニット、またはいくつかの特定の時間ユニットに適用されることができ、以上の特定の時間ユニットの位置は例示的なものに過ぎず、限定するものではなく、前記第２ビームフォーミングは、他の条件を満たす時間ユニットに適用されることもでき、本出願の実施例はこれらに対して限定しない。
【００２１】
したがって、本出願の実施例の情報伝送方法によれば、端末機器がＤＣＩまたは参照信号を受信した場合、ＤＣＩまたは参照信号に搬送される指示情報に従って現在のダウンリンク伝送機会の開始位置および／または終了位置を決定することができるため、前記ダウンリンク伝送機会の開始位置および／または終了位置に従って、ネットワーク機器との通常のデータ通信を実行することができる。さらに、信号伝送のフェージングがひどい可能性があるため、本出願の実施例の情報伝送方法によると、ＤＣＩまたは参照信号を送信する場合、少なくとも２つの方向のビームフォーミングを介して前記ＤＣＩまたは参照信号を処理することができるため、異なる方向の端末機器が前記ＤＣＩまたは参照信号を正しく受信する確率を向上させるのに有益である。
【００２２】
第２態様によれば、ネットワーク機器および端末機器を含む通信システムに適用される情報伝送方法を提供し、前記通信システムによって使用されるキャリア上の周波数領域リソースは、競合メカニズムに基づいて使用される周波数領域リソースであり、前記方法は、
前記端末機器が、第１時間周波数リソースを介して前記ネットワーク機器によって送信された第１情報を受信することであって、前記第１時間周波数リソースは、第１ダウンリンク伝送機会における時間周波数リソースであることと、
前記端末機器が、前記第１情報に従って前記第１時間周波数リソースがダウンリンク時間周波数リソースであることを決定することであって、前記第１情報は、さらに、前記第１ダウンリンク伝送機会の終了位置を決定するために使用され、前記第１情報は、第１ビームフォーミング処理後に取得された情報であることとを含む。
【００２３】
第２態様を参照すると、第２態様のいくつかの実現形態において、前記第１情報は、さらに、
前記第１ダウンリンク伝送機会の開始位置、前記第１ダウンリンク伝送機会における前記第１時間周波数リソースの位置、前記第１ダウンリンク伝送機会における残りの時間ユニットの数、前記ネットワーク機器が配置されたセルの識別子または前記第１ビームフォーミングのビーム識別子のうちの少なくとも１つの情報を決定するために使用される。
【００２４】
第２態様を参照すると、第２態様のいくつかの実現形態において、前記端末機器が、第１時間周波数リソースを介して前記ネットワーク機器によって送信された第１情報を受信することは、
前記端末機器が、前記ネットワーク機器が前記第１時間周波数リソースでダウンリンク制御チャネルを介して伝送しまたは参照信号によって送信された前記第１情報を受信することを含む。
【００２５】
第２態様を参照すると、第２態様のいくつかの実現形態において、前記第１ビームフォーミングは、前記第１ダウンリンク伝送機会における最初の時間ユニットに適用され、または、
前記第１ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会における最初のｐ個の時間ユニットのうちの少なくとも１つの時間ユニットに適用され、ｐ＝ｃｅｉｌ（Ｐ／２）であり、ここで、前記Ｐは、前記第１ダウンリンク伝送機会に含まれる時間ユニットの数を表し、ｃｅｉｌ（）は切り上げを表す。
【００２６】
第２態様を参照すると、第２態様のいくつかの実現形態において、前記方法は、
前記端末機器が、前記ネットワーク機器が第２時間周波数リソースを介して送信した第２情報を受信することと、
前記端末機器が、前記第２情報に従って、前記第２時間周波数リソースがダウンリンク時間周波数リソースであることを決定することであって、前記第２情報は、さらに、前記第１ダウンリンク伝送機会の終了位置を決定するために使用され、前記第２情報は、第２ビームフォーミング処理後に取得された情報であり、前記第２時間周波数リソースは、前記第１ダウンリンク伝送機会における時間周波数リソースであり、前記第２時間周波数リソースは、前記第１時間周波数リソースより時間的に遅いこととをさらに含む。
【００２７】
第２態様を参照すると、第２態様のいくつかの実現形態において、前記第２情報は、さらに、
前記第１ダウンリンク伝送機会の開始位置、前記第１ダウンリンク伝送機会における前記第２時間周波数リソースの位置、前記第１ダウンリンク伝送機会における残りの時間ユニットの数、前記ネットワーク機器が配置されたセルの識別子または前記第２ビームフォーミングのビーム識別子のうちの少なくとも１つの情報を決定するために使用される。
【００２８】
第２態様を参照すると、第２態様のいくつかの実現形態において、前記第１ビームフォーミングのビーム識別子は、前記第２ビームフォーミングのビーム識別子とは異なる。
【００２９】
第２態様を参照すると、第２態様のいくつかの実現形態において、前記第２ビームフォーミングは、前記第１ビームフォーミングに適用される時間ユニットの次の時間ユニットに適用され、または、
前記第２ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会における最後のｑ個の時間ユニットのうちの少なくとも１つの時間ユニットに適用され、ｑ＝ｆｌｏｏｒ（Ｐ／２）であり、ここで、前記Ｐは、前記第１ダウンリンク伝送機会に含まれる時間ユニットの数を表し、ｆｌｏｏｒ（）は切り上げを表す。
【００３０】
第２態様を参照すると、第２態様のいくつかの実現形態において、前記方法は、
前記端末機器が、前記第１ダウンリンク伝送機会の開始位置および／または終了位置に従って、前記ネットワーク機器によって送信されたダウンリンクチャネルのチャネル状態情報を測定することをさらに含む。
【００３１】
第３態様によれば、前記第１態様または第１態様の任意の可能な実施形態における方法を実行するように構成されるネットワーク機器を提供する。具体的に、前記ネットワーク機器は、前記第１態様または第１態様の任意の可能な実現形態における方法を実行するように構成されるユニットを含む。
【００３２】
第４態様によれば、前記第２態様または第２態様の任意の可能な実現形態における方法を実行するように構成される端末機器を提供する。具体的に、前記端末機器は、前記第２態様または第２態様の任意の可能な実現形態における方法を実行するように構成されるユニットを含む。
【００３３】
第５態様によれば、ネットワーク機器を提供し、前記ネットワーク機器は、メモリ、プロセッサ、入力インターフェースおよび出力インターフェースを含む。ここで、メモリ、プロセッサ、入力インターフェースおよび出力インターフェースはバスシステムを介して接続する。前記メモリは、命令を記憶するように構成され、前記プロセッサは、前記メモリによって記憶された、前記第１態様または第１態様の任意の可能な実現形態における方法を実行するために使用される命令を実行するように構成される。
【００３４】
第６態様によれば、端末機器を提供し、前記端末機器は、メモリ、プロセッサ、入力インターフェースおよび出力インターフェースを含む。ここで、メモリ、プロセッサ、入力インターフェースおよび出力インターフェースはバスシステムを介して接続する。前記メモリは、命令を記憶するように構成され、前記プロセッサは、前記メモリによって記憶された、前記第２態様または第２態様の任意の可能な実現形態における方法を実行するための命令を実行するように構成される。
【００３５】
第７態様によれば、前記第１態様または第１態様の任意の可能な実現形態における方法を実行するために使用される、前記態様を実行するために設計されたプログラムを含むコンピュータソフトウェア命令を記憶するために使用されるコンピュータ記憶媒体を提供する。
【００３６】
第８態様によれば、前記第２態様または第２態様の任意の可能な実現形態における方法を実行するために使用される、前記態様を実行するために設計されたプログラムを含むコンピュータソフトウェア命令を記憶するために使用されるコンピュータ記憶媒体を提供する。
【００３７】
第９態様によれば、コンピュータで実行されると、コンピュータが前記第１態様または第１態様のいずれかの例示的な実現形態における方法を実行するようにする命令を含むコンピュータプログラム製品を提供する。
【００３８】
第１０態様によれば、コンピュータで実行されると、コンピュータが前記第２態様または第２態様のいずれかの例示的な実現形態における方法を実行するようにする命令を含むコンピュータプログラム製品を提供する。
【図面の簡単な説明】
【００３９】
【図１】本出願の実施例に係る通信システムの概略図である。
【図２】本出願の実施例に係る情報伝送方法の例示的なフローチャートである。
【図３】本出願の実施例に係る情報伝送方法の一例の概略図である。
【図４】２つの方向のビームフォーミングを介して指示情報を伝送する一実現形態の概略図である。
【図５】２つの方向のビームフォーミングを介して指示情報を伝送する別の実現形態の概略図である。
【図６】本出願の実施例に係る情報伝送方法の例示的なフローチャートである。
【図７】本出願の実施例に係る端末機器の例示的なブロック図である。
【図８】本出願の実施例に係るネットワーク機器の例示的なブロック図である。
【図９】本出願の別の実施例に係る端末機器の例示的なブロック図である。
【図１０】本出願の別の実施例に係るネットワーク機器の例示的なブロック図である。
【発明を実施するための形態】
【００４０】
以下、本出願における技術的解決策を図面と組み合わせて説明する。
【００４１】
本明細書で使用される「部品」、「モジュール」、「システム」などの用語は、コンピュータに関するエンティティ、ハードウェア、ファームウェアおよびソフトウェアの組み合わせ、ソフトウェア、または実行されているソフトウェアを表すために使用される。例えば、部品は、プロセッサで動作されているプロセス、プロセッサ、オブジェクト、実行可能ファイル、実行スレッド、プログラムおよび／またはコンピュータであり得るが、これらに限定されない。図を通じて、コンピューティング機器によって動作されるアプリケーションおよびコンピューティング機器は部品であり得る。１つのまたは複数の部品はプロセスおよび／または実行スレッド内に常駐することができ、部品は、１つのコンピュータに配置し、および／または２つまたは２つ以上のコンピュータ間に分散することもできる。なお、これらの部品は、以上の様々なデータ構造が格納された様々なコンピュータ読み取り可能な媒体によって実行されることができる。部件は、例えば、１つのまたは複数のデータパケット（例えば、ローカルシステム、分散システムおよび／またはネットワーク間からの別の部件と相互作用を実行する２つの部品のデータであり、例えば、信号を介して他のシステムと相互作用を実行するインターネットなど）を有する信号に従ってローカルおよび／またはリモートプロセスを介して通信することができる。
【００４２】
本出願の実施例は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分離多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、高度なロングタームエボリューション（ＬＴＥ−Ａ：Ａｄｖａｎｃｅｄ  ｌｏｎｇ  ｔｅｒｍ  ｅｖｏｌｕｔｉｏｎ）システム、ニューラジオ（ＮＲ：Ｎｅｗ  Ｒａｄｉｏ）システムおよびＮＲシステムのエボリューションシステム、例えば、アンライセンススペクトルのＮＲ（ＮＲ−Ｕ：ＮＲ−ｂａｓｅｄ  ａｃｃｅｓｓ  ｔｏ  ｕｎｌｉｃｅｎｓｅｄ  ｓｐｅｃｔｒｕｍ）システム、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイヤレスメトロポリタンエリアネットワーク（ＷＬＡＮ：Ｗｉｒｅｌｅｓｓ  Ｌｏｃａｌ  Ａｒｅａ  Ｎｅｔｗｏｒｋｓ）、ワイファイ（ＷｉＦｉ：Ｗｉｒｅｌｅｓｓ  Ｆｉｄｅｌｉｔｙ）または次の世代の通信システムなど、様々な通信システムに適用されることができることを理解されたい。
【００４３】
通常、従来の通信システムがサポートする接続数は有限であり、且つ実現するのに容易であるが、通信技術の発展に伴い、モバイル通信システムは、従来の通信をサポートすることに過ぎず、例えば、デバイスツーデバイス（Ｄ２Ｄ：Ｄｅｖｉｃｅ  ｔｏ  Ｄｅｖｉｃｅ）通信、マシンツーマシン（Ｍ２Ｍ：Ｍａｃｈｉｎｅ  ｔｏ  Ｍａｃｈｉｎｅ）通信、マシンタイプ通信（ＭＴＣ：Ｍａｃｈｉｎｅ  Ｔｙｐｅ  Ｃｏｍｍｕｎｉｃａｔｉｏｎ）、および車両間（Ｖ２Ｖ：Ｖｅｈｉｃｌｅ  ｔｏ  Ｖｅｈｉｃｌｅ）通信もサポートする。
【００４４】
本出願の実施例における通信システムは、キャリア集約（ＣＡ：Ｃａｒｒｉｅｒ  Ａｇｇｒｅｇａｔｉｏｎ）シナリオに適用されることができ、デュアル接続（ＤＣ：Ｄｕａｌ  Ｃｏｎｎｅｃｔｉｖｉｔｙ）シナリオに適用されることができ、スタンドアロン（ＳＡ：Ｓｔａｎｄａｌｏｎｅ）ネットワーク配置シナリオに適用されることができる。
【００４５】
本出願の実施例における通信システムがアンライセンススペクトルに適用され、且つネットワーク配置シナリオがＣＡである場合、前記ＣＡネットワーク配置シナリオは、メインキャリアがライセンススペクトルにあり、セカンダリキャリアがアンライセンススペクトルにある場合であってもよく、メインキャリアおよびセカンダリキャリアは、理想的なバックホール（ｂａｃｋｈａｕｌ）により接続する。
【００４６】
本出願の実施例における通信システムがアンライセンススペクトルに適用され、且つネットワーク配置シナリオがＤＣである場合、前記ＤＣネットワーク配置シナリオは、メインキャリアがライセンススペクトルにあり、セカンダリキャリアがアンライセンススペクトルにある場合であってもよく、メインキャリアおよびセカンダリキャリアは、非理想的なｂａｃｋｈａｕｌにより接続し、ここで、メインキャリアのシステムは、メインキャリアのシステムがＬＴＥシステムであり、セカンダリキャリアのシステムがＮＲシステムであるなど、セカンダリキャリアのシステムと異なるシステムに属することができ、または、メインキャリアのシステムは、メインキャリアおよびセカンダリキャリアのシステムが両方ともＬＴＥシステムであり、または両方ともＮＲシステムであるなど、セカンダリキャリアのシステムと同じシステムに属することができる。
【００４７】
本発明の実施例における通信システムがアンライセンススペクトルに適用され、且つネットワーク配置シナリオがＳＡである場合、端末機器は、アンライセンススペクトルのシステムを介してネットワークにアクセスすることができる。
【００４８】
本出願の実施例は、ネットワーク機器および端末機器を組み合わせて、各実施例を説明し、ここで、
端末機器は、ユーザ機器（ＵＥ：Ｕｓｅｒ  Ｅｑｕｉｐｍｅｎｔ）、アクセス端末、ユーザユニット、ユーザステーション、移動ステーション、移動局、遠隔局、遠隔端末、モバイル機器、ユーザ端末、端末、無線通信デバイス、ユーザエージェント、またはユーザ装置とも称し得る。端末機器は、ＷＬＡＮにおけるステーション（ＳＴ：ＳＴＡＩＯＮ）であってもよく、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）機器、ワイヤレス通信機能を備えたハンドヘルド機器、コンピューティング機器またはワイヤレスモデムに接続されたその他の処理機器、車載機器、ウェアラブル機器および次の世代通信システム、例えば、第５世代通信（５Ｇ：ｆｉｆｔｈ−ｇｅｎｅｒａｔｉｏｎ）ネットワークにおける端末機器または未来進化の公衆陸上移動ネットワーク（Ｐｕｂｌｉｃ  Ｌａｎｄ  Ｍｏｂｉｌｅ  Ｎｅｔｗｏｒｋ、ＰＬＭＮ）ネットワークにおける端末機器などであってもよい。
【００４９】
本出願の実施例のおいて、前記端末機器がウェアラブル機器であり得ることは例示的なことにすぎず、限定することではない。ウェアラブル機器は、ウェアラブルスマート機器とも称されることができ、当該機器は、ウェアラブル技術を適用して日常で装うものをインテリジェントに設計し、開発されたメガネ、手袋、腕時計、服飾および靴などの着想可能な機器の総称である。ウェアラブル機器は身体に直接装着するか、ユーザの服やアクセサリと一体化するウェアラブル機器である。ウェアラブル機器はハードウェア機器にすぎず、ソフトウェアサポートおよびデータインタラクション、クラウドインタラクションを通じて強力な機能を実現する。一般的なウェアラブルスマート機器は、スマートウォッチ、スマートグラスなどのフル機能で、サイズが大きく、スマートフォンに依存せず、完全または一部の機能を実現することができる機器、および、スマートブレスレット、スマートジュエリなどの特定のタイプのアプリケーション機能のみに焦点を当て、スマートフォンなどの他の機器と組み合わせて使用する必要がある機器を含む。
【００５０】
ネットワーク機器は、モバイル機器と通信するための機器であってもよく、ネットワーク機器はＷＬＡＮのアクセスポイント（ＡＰ：Ａｃｃｅｓｓ  Ｐｏｉｎｔ）、ＧＳＭまたはＣＤＭＡの基地局（ＢＴＳ：Ｂａｓｅ  Ｔｒａｎｓｃｅｉｖｅｒ  Ｓｔａｔｉｏｎ）、であってもよく、ＷＣＤＭＡの基地局（ＮＢ：ＮｏｄｅＢ）であってもよく、ＬＴＥの進化型基地局（Ｅｖｏｌｕｔｉｏｎａｌ  Ｎｏｄｅ  Ｂ、ｅＮＢまたはｅＮｏｄｅＢ）、またはリレーステーションまたはアクセスポイント、または車載機器、ウェアラブル機器および未来の５Ｇネットワークのネットワーク機器または未来進化のＰＬＭＮネットワークのネットワーク機器などであってもよい。
【００５１】
本出願の実施例において、ネットワーク機器はセルにサービスを提供し、端末機器は前記セルによって使用される伝送リソース（周波数領域リソースなど、または、スペクトルリソースなど）を介してネットワーク機器と通信し、前記セルは、ネットワーク機器（基地局など）に対応するセルであり得、セルはマクロ基地局に属してもよく、スモールセル（Ｓｍａｌｌ  ｃｅｌｌ）に対応する基地局に属してもよく、ここで、スモールセルは、メトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）などを含み得、これらのスモールセルは、カバレッジが小さく、送信パワーが低いという特徴を有し、高速なデータ伝送サービスを提供するのに適合する。
【００５２】
本出願の実施例において、ＬＴＥシステムまたは５Ｇシステムのキャリアでは複数のセルが同じ周波数で同時に動作することができ、いくつかの特別なシナリオにおいて、前記キャリアとセルの概念が同等であると考えられることができる。例えば、キャリア集約（ＣＡ：Ｃａｒｒｉｅｒ  Ａｇｇｒｅｇａｔｉｏｎ）シナリオにおいて、ＵＥにセカンダリキャリアを構成する場合、セカンダリキャリアのキャリアインデックスおよび前記セカンダリキャリアで動作するセルのセル識別子（Ｃｅｌｌ  ＩＤ：Ｃｅｌｌ  Ｉｎｄｅｎｔｉｆｙ）を同時に搬送し、この場合、キャリアとセルの概念が同等であると考えられることができ、例えば、ＵＥが１つのキャリアおよび接入１つのセルにアクセスすることは同等である。
【００５３】
本出願の実施例によって提供された方法および装置は、端末機器またはネットワーク機器に適用されることができ、前記端末機器またはネットワーク機器は、ハードウェア層、ハードウェア層の上で動作する動作システム、および動作システム層の上で動作するアプリケーション層を含む。前記ハードウェア層は、中央処理装置（ＣＰＵ：Ｃｅｎｔｒａｌ  Ｐｒｏｃｅｓｓｉｎｇ  Ｕｎｉｔ）、メモリ管理ユニット（ＭＭＵ：Ｍｅｍｏｒｙ  Ｍａｎａｇｅｍｅｎｔ  Ｕｎｉｔ）およびメモリ（メインメモリとも称される）などのハードウェアを含む。前記動作システムは、プロセス（Ｐｒｏｃｅｓｓ）を介してサービス処理を実現する、例えば、Ｌｉｎｕｘ動作システム、Ｕｎｉｘ動作システム、Ａｎｄｒｏｉｄ動作システム、ｉＯＳ動作システムまたはｗｉｎｄｏｗｓ動作システムなどの任意の１つまたは複数のコンピュータ動作システムであり得る。前記アプリケーション層は、ブラウザ、アドレス帳、ワープロソフトウェア、インスタントメッセージングソフトウェアなどのアプリケーションを含む。且つ、本出願の実施例は本出願の実施例によって提供された方法の実行主体の具体的な構造に対して特に限定しないが、本出願の実施例によって提供された方法のコードを記録したプログラムを実行することにより、本出願の実施例によって提供された方法に従って通信し、例えば、本出願の実施例によって提供された方法の実行主体は、端末機器またはネットワーク機器であってもよく、または、端末機器またはネットワーク機器における、プログラムを呼び出してプログラムを実行することができる機能モジュールであってもよい。
【００５４】
なお、本出願の実施例の各態様または特徴は、方法、装置または標準的なプログラミングおよび／またはエンジニアリング技術を使用した製造品として具現されることができる。本出願で使用した「製造品」という用語は、任意のコンピュータ読み取り可能なデバイス、キャリアまたは媒体からアクセス可能なコンピュータプログラムを含む。例えば、コンピュータ読み取り可能な媒体は、磁気記憶装置（例えば、ハードディスク、フロッピーディスクまたは磁気テープなど）、光ディスク（例えば、コンパクトディスク（ＣＤ：Ｃｏｍｐａｃｔ  Ｄｉｓｃ）、デジタル多用途ディスク（ＤＶＤ：Ｄｉｇｉｔａｌ  Ｖｅｒｓａｔｉｌｅ  Ｄｉｓｃ）等）、スマートカードおよびフラッシュメモリデバイス（例えば、消去可能なプログラム可能な読み取り専用メモリ（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、カード、スティックまたはキードライバなど）を含むことができるが、これらに限定されない。さらに、本明細書で説明された様々な記憶媒体は、情報を記憶するための１つまたは複数の装置および／または他の機械読み取り可能な媒体を表すことができる。「機械読み取り可能な媒体」という用語は、無線チャネルおよび命令および／またはデータを格納、収容および／または搬送することができる様々な他の媒体を含むことができるが、これらに限定されない。
【００５５】
図１は、本出願の実施例の通信システムの概略図である。図１に示されたように、前記通信システム１００は、ネットワーク機器１１０および端末機器１２０を含み、ネットワーク機器１１０は、ビームフォーミング（ｂｅａｍ  ｆｏｒｍｉｎｇ）の方式により、共有のダウンリンク制御情報（ＤＣＩ：Ｄｏｗｎｌｉｎｋ  Ｃｏｎｔｒｏｌ  Ｉｎｆｏｒｍａｔｉｏｎ）または事前に定義された参照信号など、ダウンリンクの物理チャネルまたは参照信号を端末機器１２０に送信することができ、端末機器１２０が前記ＤＣＩ情報または前記参照信号を検出した後、現在のダウンリンク伝送機会の開始位置および／または終了位置を決定することができ、さらに、現在の伝送機会の開始位置および／または終了位置に従って前記ネットワーク機器によって送信されたダウンリンクチャネルのチャネル状態情報（ＣＳＩ：Ｃｈａｎｎｅｌ  Ｓｔａｔｅ  Ｉｎｆｏｒｍａｔｉｏｎ）を測定することにより、ネットワーク機器との通常のデータ通信を実現することができる。
【００５６】
高周波数シナリオでの信号伝送のフェージングがひどいため、ネットワーク機器１１０がＤＣＩまたは参照信号を送信すると、少なくとも２つの方向のビームフォーミング（例えば、ビームフォーミング１３０およびビームフォーミング１４０など）を介して前記ＤＣＩまたは参照信号を処理して、異なる方向の端末機器が前記ＤＣＩまたは参照信号を正しく受信する確率を向上させることができる。
【００５７】
本出願の実施例のダウンリンク物理チャネルは、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）、物理ＨＡＲＱインジケータチャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）、物理マルチキャストチャネル（ＰＭＣＨ：Ｐｈｙｓｉｃａｌ  Ｍｕｌｔｉｃａｓｔ  Ｃｈａｎｎｅｌ）、物理報知チャネル（ＰＢＣＨ：Ｐｈｙｓｉｃａｌ  Ｂｒｏａｄｃａｓｔ  Ｃｈａｎｎｅｌ）などを含み得ることに留意されたい。参照信号は、位相追跡参照信号（ＰＴ−ＲＳ：Ｐｈａｓｅ  Ｔｒａｃｋｉｎｇ  Ｒｅｆｅｒｅｎｃｅ  Ｓｉｇｎａｌ）、復調用参照信号（ＤＭＲＳ：ＤｅＭｏｄｕｌａｔｉｏｎ  Ｒｅｆｅｒｅｎｃｅ  Ｓｉｇｎａｌ）、チャネル状態情報参照信号（ＣＳＩ−ＲＳ：Ｃｈａｎｎｅｌ  Ｓｔａｔｅ  Ｉｎｆｏｒｍａｔｉｏｎ−  Ｒｅｆｅｒｅｎｃｅ  Ｓｉｇｎａｌ）などを含み得、ここで、ＤＭＲＳはダウンリンクチャネルの復調に使用され、ＣＳＩ−ＲＳはダウンリンクチャネルの測定に使用され、ＰＴ−ＲＳはダウンリンク時間周波数同期または位相追跡に使用される。
【００５８】
なお、前記通信システム１００はＰＬＭＮネットワークまたはＤ２ＤネットワークまたはＭ２Ｍネットワークまたは他のネットワークであり得、図１は例を挙げるために簡略化した概略図であり、ネットワークは他のネットワーク機器をさらに含み得、図１に示されない。
【００５９】
以下、本出願の実施例の無線通信用の周波数領域リソースを詳しく説明する。
【００６０】
本出願の実施例において、ネットワーク機器および端末機器の無線通信（アップリンク伝送またはダウンリンク伝送など）用の周波数領域リソースは、競合メカニズムに基づいて使用される周波数領域リソースである。
【００６１】
例えば、ネットワーク機器および／または端末機器は、特定の帯域幅（２０ＭＨｚなど）を有する周波数領域リソースが現在アイドル状態であるかどうか、または、前記周波数領域リソースが他の機器によって使用されるかどうかを検出することができる。
【００６２】
前記周波数領域リソースがアイドル状態であり、または、前記周波数領域リソースが他の機器に使用されていないと、ネットワーク機器および／または端末機器は前記周波数領域リソースを使用して、アップリンク伝送またはダウンリンク伝送などの通信を行うことができる。
【００６３】
前記周波数領域リソースがアイドル状態ではなく、または、前記周波数領域リソースが他の機器に使用された場合、ネットワーク機器および／または端末機器は前記周波数領域リソースを使用することができない。
【００６４】
本出願の実施例において、上記した競合メカニズムの具体的な方法およびプロセスは先行技術と同様であることができ、ここでは、繰り返しを避けるために、詳細な説明を省略する。
【００６５】
本出願の実施例において、前記通信システム１００が使用する周波数領域リソース（または、ネットワーク機器および端末機器競合メカニズムに基づいて使用される周波数領域リソース）はライセンススペクトルリソースであってもよく、即ち、本出願の実施例の通信システム１００は、ライセンス周波数帯域を使用することができる通信システムであり、さらに、通信システム１００における各通信機器（ネットワーク機器および／または端末機器）は競合方法を採用して前記ライセンススペクトルの周波数領域リソースを使用することができることは例示的であり、限定することではない。
【００６６】
「ライセンス周波数領域リソース」は、「許可スペクトルリソース」または「許可キャリア」とも称されることができ、当該ライセンス周波数領域リソースとは、国または地方の無線委員会が承認してこそ使用可能な周波数領域リソースを指し、ＬＴＥシステムおよびＷｉＦｉシステムなどの異なるシステム、または、異なるオペレータに含まれたシステムは許可周波数領域リソースを共有して使用することができない。
【００６７】
ライセンススペクトルリソースは、政府の無線管理委員会によって境界を定められ、モバイルオペレータ、民間航空、鉄道、警察などが専用するスペクトルリソースを有することができ、政策の独占性により、許可スペクトルリソースのサービス品質は一般的に保証され、スケジューリング制御を実行するときも比較的に容易である。
【００６８】
または、本出願の実施例において、前記通信システム１００が使用する周波数領域リソース（または、ネットワーク機器および端末機器競合メカニズムに基づいて使用される周波数領域リソースである）は、アンライセンス周波数領域リソースであり得る。
【００６９】
「アンライセンス周波数領域リソース」とは、「非許可スペクトルリソース」または「非許可キャリア」とも称されることができ、各通信機器がアンライセンス周波数領域を共有して使用することができるリソースを指す。ここで、「アンライセンス周波数領域のリソースを共有する」とは、前記周波数領域を共同で使用する複数の機器間が基本的な共存要件を満たすことを保証するために、前記周波数領域の複数の機器間特定のスペクトルの使用に対して送信パワーのみを規定し、帯域外漏れなどのインジケータを制限し、オペレータは、アンライセンス周波数領域リソースを使用してネットワーク容量分散の目的を達成することができるが、異なる地域および異なるスペクトルにおけるアンライセンス周波数領域リソースの規制要件を準拠する必要がある。これらの要求は、通常、レーダなどの公共システムを保護し、および送信パワー制限、帯域外漏れインジケータ、室内及び室外の使用制限など、複数のシステム間に有害な影響をできる限り引き起こさず、公平的に共存することを保証するために作成され、および特定の地域は付加したいくつかの共存戦略がある。例えば、各通信機器は、競合方式またはモニタリング方式、例えば、リスニングビフォアトーク（ＬＢＴ）が規定した方式によって使用される周波数領域リソースを使用することができる。
【００７０】
アンライセンススペクトルリソースは関連する政府部門によって規定されたスペクトルリソースであり得るが、無線技術、運営会社および耐用年数に対して限定せず、同時に、前記周波数領域のサービス品質も保証しない。非許可スペクトルリソースを適用した通信機器が送信パワー、帯域外漏れなどのインジケータの要件のみを満たすと、無料で使用することができる。通常の非許可スペクトルリソースを適用して通信するシステムはＷｉ−Ｆｉシステムなどを含む。
【００７１】
本出願の実施例において、前記アンライセンススペクトルリソースは、５ギガヘルツ（ＧＨｚ：Ｇｉｇａ  Ｈｅｒｔｚ）に近い周波数領域、２．４ＧＨｚに近い周波数領域、３．５ＧＨｚに近い周波数領域、３７ＧＨｚに近い周波数領域、６０ＧＨｚに近い周波数領域を含み得ることは、例示的であり、限定することではない。
【００７２】
さらに、アンライセンス周波数領域のＬＴＥシステムのフレーム構造は、伝送機会の概念を導入し、即ち、ネットワーク機器の伝送は日和見的であり、ＬＢＴが成功した場合にのみデータ伝送を実行し、ＬＢＴが失敗した場合、データ伝送を実行することができない。
【００７３】
このようにして、ＮＲ技術をアンライセンススペクトルに使用すると、ＮＲシステムにＣＲＳがないため、ＣＲＳの有無を検出することにより、サブフレームにネットワーク機器のダウンリンク伝送方式を実行することができない場合があるかどうかを判断する。
【００７４】
これを鑑みて、本出願の実施例は情報伝送方法を提供し、前記方法は、端末機器がネットワーク機器によって伝送される時間周波数リソースを識別することができるようにし、それにより、ネットワーク機器と端末機器との間の通常の通信を完了する。
【００７５】
以下、図２ないし図６を参照して、本出願の実施例の情報伝送方法を説明し、以下の説明で「時間周波数リソース」は時間領域のリソースを含んでもよく、周波数領域のリソースを含んでもよく、本出願の実施例において、主に、時間領域のリソースの使用方式に関し、したがって、以下で説明される本出願の実施例の情報伝送方法のプロセスで「時間周波数リソース」に対する使用方式とは、主に、時間領域のリソースに対する使用を指し、周波数領域のリソースの使用方式は先行技術と同じまたは類似してもよく、ここで、繰り返しを避けるため、詳細な説明を省略することに留意されたい。
【００７６】
図２ないし図６は、本出願の実施例の情報伝送方法の例示的なフローチャートであり、前記方法の詳細な通信ステップまたは操作を示すが、これらのステップまたは操作は例示的なものに過ぎず、本出願の実施例は、他の操作または図２ないし図６の様々な操作の変形を実行することもできある。
【００７７】
なお、図２ないし図６の各ステップは、図２ないし図６に示されたものと異なる順序に従ってそれぞれ実行されることができ、図２ないし図６のすべての操作を必ず実行する必要がある可能性もある。
【００７８】
図２は、本出願の実施例に係る情報伝送方法２００の例示的なフローチャートであり、図２に示されたように、前記方法２００は、次のコンテンツを含む。
【００７９】
ステップＳ２０１において、前記ネットワーク機器は、使用可能な第１時間周波数リソースを決定し、前記第１時間周波数リソースは、第１ダウンリンク伝送機会における時間周波数リソースである。
【００８０】
ステップＳ２０２において、前記ネットワーク機器は、前記第１時間周波数リソースを介して第１情報を前記端末機器に送信し、前記第１情報は、前記端末機器が、前記第１時間周波数リソースがダウンリンク時間周波数リソースであることを決定するために使用され、且つ、前記第１情報は、さらに、前記第１ダウンリンク伝送機会の終了位置を決定するために使用され、前記第１情報は、第１ビームフォーミング処理後に取得された情報である。
【００８１】
本出願の実施例において、ネットワーク機器がアンライセンススペクトルで信号伝送を実行する前に、前記ネットワーク機器はアンライセンススペクトルのキャリアに対してＬＢＴ検出を実行し、ＬＢＴが成功した後に、前記ネットワーク機器は一回のダウンリンク伝送機会を取得し、前記一回のダウンリンク伝送機会で、前記ネットワーク機器はダウンリンク伝送を実行することができる。ここで、一回のダウンリンク伝送機会は、ネットワーク機器によって連続して伝送される時間ユニットとして定義されることができ、１つの時間ユニットは、１つのまたは複数のサブフレームとして定義されてもよく、１つのまたは複数のタイムスロットとして定義されてもよく、または１つのまたは複数のマイクロタイムスロットなどとして定義されてもよく、本出願の実施例はこれらに限定されない。
【００８２】
例示的に、本出願の実施例において、前記第１ダウンリンク伝送機会は、１つの時間周波数リソースを含んでもよく、複数の時間周波数リソースを含んでもよく、ここで、前記第１時間周波数リソースは、前記第１ダウンリンク伝送機会における最初の時間周波数リソースであってもよく、即ち、前記第１時間周波数リソースの時間領域位置は前記第１ダウンリンク伝送機会における他の時間周波数リソースの時間領域位置より早いことであり、前記第１ダウンリンク伝送機会における真ん中に位置する時間周波数リソースであってもよく、即ち、前記第１時間周波数リソースの前に前記第１ダウンリンク伝送機会における他の時間周波数リソースがあることであり、または前記第１ダウンリンク伝送機会における最後の１つの時間周波数リソースであってもよく、即ち、前記第１時間周波数リソースの時間領域位置が前記第１ダウンリンク伝送機会における他の時間周波数リソースの時間領域位置より遅いことであり、本出願の実施例はこれらに対して特に限定しない。
【００８３】
本出願の実施例における一回のダウンリンク伝送機会の開始時間ユニットおよび／または終了時間ユニットは、完全な１つのサブフレーム、１つのタイムスロットまたは１つのマイクロタイムスロットなどの、完全な時間ユニットであってもよく、一部のサブフレーム、一部のタイムスロットまたは一部のマイクロタイムスロットなどの、一部の時間ユニットなどであってもよく、本出願の実施例はこれらに限定されないことを理解されたい。
【００８４】
ネットワーク機器は、ＤＣＩまたは参照信号を一回のダウンリンク伝送機会における一部のまたはすべての時間ユニットで送信することができ、端末機器が前記ＤＣＩまたは参照信号を受信した後に、現在の時間ユニットにネットワーク機器のダウンリンク伝送があるかどうかを判断することができ、即ち、前記ネットワーク機器がダウンリンク伝送を現在の時間ユニットで実行するかどうかを判断することができる。ここで、前記ＤＣＩは、共有のＰＤＣＣＨを介して伝送されてもよく、１グループのＰＤＣＣＨを介して伝送されてもよく、前記参照信号のシーケンスはセル識別子に従って生成されてもよく、または前記参照信号のシーケンスは事前に定義されてもよく、本出願の実施例はこれらに対して限定しない。
【００８５】
本出願の実施例において、前記ＤＣＩまたは参照信号は指示情報を搬送することができ、前記指示情報は、端末機器が、前記指示情報を伝送する時間周波数リソースがダウンリンク時間周波数リソースであることを決定するために使用されることができ、即ち、前記端末機器は、前記指示情報に従って現在の時間ユニットにネットワーク機器のダウンリンク伝送があるかどうかを判断することができる。さらに、前記指示情報は、端末機器が現在のダウンリンク伝送機会の終了位置を決定するために使用されることもでき、このようにして、前記端末機器は現在のダウンリンク伝送機会の終了位置に従って、前記ネットワーク機器がダウンリンク伝送をいつ停止するかを決定することができ、それにより、ネットワーク機器との通常のデータ通信を実現することができる。
【００８６】
例示的に、前記指示情報は完全なダウンリンク時間ユニットで伝送される。さらに例示的に、前記端末機器が前記指示情報に従って現在の時間ユニットにネットワーク機器のダウンリンク伝送があるかどうかを判断することは、前記端末機器が、前記指示情報に従って、ネットワーク機器が現在の時間ユニットに含まれたすべての時間リソースにダウンリンク伝送があると決定することができることを含む。
【００８７】
いくつかの例示的な実施例において、ネットワーク機器が時間ユニットの開始時にチャネルの使用権を取得してないが、前記時間ユニットの間でチャネルの使用権を取得すれば、前記ネットワーク機器は、依然として、前記時間ユニットの残りの一部の時間ユニットに対してダウンリンク伝送を実行することができることに留意されたい。または、前記ネットワーク機器は、１つの時間ユニットにおける前の一部の時間リソースをダウンリンク伝送に使用し、後の一部の時間リソースをアップリンク伝送に使用することができる。または、前記ネットワーク機器は、１つの時間ユニットにおける前の一部の時間リソースをアップリンク伝送に使用し、後の一部の時間リソースをダウンリンク伝送に使用することができる。１つの時間ユニットにおける一部の時間リソースがダウンリンク伝送に使用される場合、ネットワーク機器は前記指示情報を送信してもよく、前記指示情報を送信しなくてもよく、いくつかの場合では前記指示情報を送信し、他のいくつかの場合では前記指示情報を送信しなくてもよく（例えば、前記一部の時間ユニットが前の一部の時間ユニットである場合、前記指示情報を送信し、前記一部の時間ユニットが後の一部の時間ユニットである場合、前記指示情報を送信しない）、本発明はこれらに対して限定しない。
【００８８】
例示的に、前記指示情報は完全または一部のダウンリンク時間ユニットで伝送される。さらに例示的に、前記端末機器が前記指示情報に従って現在の時間ユニットにネットワーク機器のダウンリンク伝送があるかどうかを判断することは、前記端末機器が、前記指示情報に従って、ネットワーク機器が現在の時間ユニットに含まれたすべての時間リソースまたは一部の時間リソースにダウンリンク伝送があると判断することができることを含む。
【００８９】
前記指示情報が第１時間周波数リソースを介して伝送されると、前記指示情報は以上に記載の第１情報に対応することができ、または、前記指示情報が第１時間周波数リソースの後の第２時間周波数リソースを介して伝送されると、前記指示情報は第２情報として表記され、前記第１情報および第２情報は、両方とも端末機器が第１ダウンリンク伝送機会の終了位置を決定するために使用され、ここで、第１情報に従って決定した第１ダウンリンク伝送機会の終了位置と第２情報に従って決定した第１ダウンリンク伝送機会の終了位置は同じでも、異なってもよく、異なると、第１ダウンリンク伝送機会の終了位置が更新されたことを表し、さらに、端末機器は更新された第１ダウンリンク伝送機会の終了位置に従ってネットワーク機器とのデータ通信を実行することができることに留意されたい。
【００９０】
以下、図３と組み合わせて、本出願の実施例に係る情報伝送方法の実現プロセスを詳細に説明し、特定の時間で、ネットワーク機器はチャネルの使用権を先取りし、即ち、ＬＢＴが成功し、それにより、ネットワーク機器は一回のダウンリンク伝送機会を取得し、第１ダウンリンク伝送機会として表記され、前記第１ダウンリンク伝送機会が４つの時間ユニットを含むことを例とすると、前記ネットワーク機器は前記第１ダウンリンク伝送機会における各時間ユニットのそれぞれに、前記指示情報を伝送するための時間周波数リソース（第１時間周波数リソース、第２時間周波数リソース、第３時間周波数リソースおよび第４時間周波数リソースなど）を含むことができ、各時間ユニットの時間周波数リソースは事前に定義されてもよく（通信規格により前記時間周波数リソースが１つの時間ユニット上の位置を事前に規定するなど）、上位層によって構成されてもよく（ＲＲＣシグナリングまたはＭＡＣ層シグナリングによって構成されるなど）、動的に指示されてもよく（物理層シグナリングを介して指示されるなど）、本出願の実施例はこれらに限定されない。
【００９１】
高周波数シナリオでの信号伝送のフェージングがひどいため、ネットワーク機器は、端末が前記指示情報を正しく受信する確率を向上させるために、前記指示情報に対してビームフォーミング処理を実行し、その後、また前記指示情報を送信することができる。さらに、異なる方向の端末機器のすべてが前記指示情報を正しく受信するようにするため、ネットワーク機器は少なくとも２つの異なる方向のビームフォーミングの方式により前記指示情報を送信することもできる。例えば、ネットワーク機器は、第１ビームフォーミング方向を介して第１時間周波数リソースで前記指示情報、即ち、以上に記載の第１情報を送信することができ、第２ビームフォーミング方向を介して第２時間周波数リソースで前記指示情報を送信し、第３ビームフォーミング方向を介して第３時間周波数リソースで前記指示情報を送信し、第４ビームフォーミング方向を介して第４時間周波数リソースで前記指示情報を送信し、ここで、第１ビームフォーミング、第２ビームフォーミング、第３ビームフォーミングおよび第４ビームフォーミングのうちの少なくとも２つのビームフォーミングの方向は異なる。
【００９２】
本出願の実施例において、第１時間周波数リソース、第２時間周波数リソース、第３時間周波数リソースおよび第４時間周波数リソースによって送信された指示情報は同じでも、異なってもよく、例えば、異なる時間周波数リソースによって送信された指示情報は同じ第１ダウンリンク伝送機会の終了位置を指示するために使用されてもよく、異なる第１ダウンリンク伝送機会の終了位置を指示するために使用されてもよく、即ち、第１時間周波数リソースによって伝送された第１情報および第２時間周波数リソースによって伝送された第２情報は同じ終了位置を指示することができ、異なる終了位置を指示することもでき、本出願の実施例はこれらに対して限定しないことを理解されたい。
【００９３】
例示的に、本出願の実施例において、前記指示情報は、第１ダウンリンク伝送機会の終了位置を決定するために使用される。例えば、前記指示情報は、第１ダウンリンク伝送機会の終了時間ユニットの番号を指示するために使用されることができる。第１ダウンリンク伝送機会の終了時間ユニットがタイムスロット４であると仮定すると、前記指示情報は、タイムスロット４を指示するために使用される。さらに例えば、前記指示情報は前記第１ダウンリンク伝送機会における残りの時間ユニットの数、即ち、現在の時間ユニットから始めあといくつの時間ユニットがダウンリンク伝送に使用されることができるかを指示するために使用されることもでき、それにより、前記端末機器は前記第１ダウンリンク伝送機会の残りの時間ユニットの数に従って前記第１ダウンリンク伝送機会の終了位置を決定する。
【００９４】
例えば、図３のように、第１ダウンリンク伝送機会の最初の時間ユニットでは、前記指示情報は３を指示し、即ち、第１時間周波数リソースで受信された前記指示情報（即ち、第１情報）は３を指示するために使用されることができ、第１ダウンリンク伝送機会における残りの時間ユニットの数が３であることを表し、現在の時間ユニットがタイムスロット１であると、第１ダウンリンク伝送機会の終了位置はタイムスロット４である。
【００９５】
第１ダウンリンク伝送機会の２番目時間ユニットでは、前記指示情報は２を指示し、即ち、第２時間周波数リソースで受信される前記指示情報（第２情報と表記される）は２を指示するために使用されることができ、第１ダウンリンク伝送機会における残りの時間ユニットの数が２であることを意味し、現在の時間ユニットがタイムスロット２であると、第１ダウンリンク伝送機会の終了位置はタイムスロット４である。
【００９６】
第１ダウンリンク伝送機会の３番目の時間ユニットでは、前記指示情報は２を指示し、即ち、第３の時間周波数リソースで受信される前記指示情報（第３の情報と表記される）は２を指示するために使用されることができ、第１ダウンリンク伝送機会における残りの時間ユニットの数が２であることを意味し、現在の時間ユニットがタイムスロット２であると、第１ダウンリンク伝送機会の終了位置はタイムスロット４である。
【００９７】
第１ダウンリンク伝送機会の４番目の時間ユニットにおいて、前記指示情報は０を指示することができ、即ち、第４時間周波数リソースで受信される前記指示情報（第４情報と表記される）は０を指示するために使用されることができ、第１ダウンリンク伝送機会における残りの時間ユニットの数が０であることを意味し、現在の時間ユニットがタイムスロット４であると、現在の時間ユニットは、即ち、第１ダウンリンク伝送機会の終了位置である。
【００９８】
したがって、端末機器は第１ダウンリンク伝送機会のうちのいずれか１つの時間ユニットの指示情報を検出ことにより、前記第１ダウンリンク伝送機会の終了位置を決定することができる。例示的に、異なる時間ユニットの指示情報に従って決定された第１ダウンリンク伝送機会の終了位置が異なると、最後に受信された指示情報によって指示された第１ダウンリンク伝送機会の終了位置を基準とする。
【００９９】
例示的に、いくつかの実施例において、前記指示情報は、さらに、第１ダウンリンク伝送機会の開始位置を決定するために使用されることができる。例えば、第１ダウンリンク伝送機会の最初の時間ユニットで受信される前記指示情報（即ち、第１情報）は０を指示するために使用されることができ、第１ダウンリンク伝送機会の２番目の時間ユニットで受信される前記指示情報（即ち、第２情報）は１を指示するために使用されることができ、第１ダウンリンク伝送機会の３番目の時間ユニットで受信される前記指示情報（即ち、第３情報）は２を指示するために使用されることができ、第１ダウンリンク伝送機会の４番目の時間ユニットで受信される前記指示情報（即ち、第４情報）は３を指示するために使用されることができる。したがって、端末機器は、第１ダウンリンク伝送機会のうちのいずれか１つの時間ユニットの指示情報を検出することにより、前記第１ダウンリンク伝送機会の開始位置を決定することができ、さらに、第１ダウンリンク伝送機会の開始位置に従って、ネットワーク機器との通常のデータ通信を実行することができる。
【０１００】
例示的に、いくつかの実施例において、前記指示情報は、さらに、前記指示情報が位置する時間ユニットが前記第１ダウンリンク伝送機会での位置を決定するために使用されることができる。例えば、前記指示情報は、前記第１ダウンリンク伝送機会における最初の時間ユニット、または最後の時間ユニット、または事前に定義されたＫ（Ｋは１より大きい正の整数である）番目の時間ユニットに対する、前記指示情報が位置する時間ユニットの位置を指示するために使用されることができ、それにより、端末機器が前記指示情報を受信した後、前記第１ダウンリンク伝送機会における前記指示情報が位置する時間ユニットの位置を決定することができるため、前記第１ダウンリンク伝送機会の開始位置および／または終了位置を決定することができ、さらに、前記第１ダウンリンク伝送機会の開始位置および／または終了位置に従って、ネットワーク機器との通常のデータ通信を実行することができる。
【０１０１】
例示的に、いくつかの実施例において、前記指示情報は、前記指示情報を伝送するために使用されるビームフォーミングのビーム識別子情報を搬送することもできる。例えば、図３のように、第１時間周波数リソース、第２時間周波数リソース、第３時間周波数リソース、第４時間周波数リソースの対応する指示情報を伝送するためのビームの識別子がそれぞれ＃０、＃２、＃４、＃６であると仮定すると、第１ダウンリンク伝送機会の最初の時間ユニットで伝送される指示情報（即ち、第１情報）が搬送するビーム識別子情報は＃０であり得、第１ダウンリンク伝送機会の２番目の時間ユニットで伝送される指示情報（即ち、第２情報）が搬送するビーム識別子情報は＃２であり得、第１ダウンリンク伝送機会の３番目の時間ユニットで伝送される指示情報（即ち、第３ダウンリンク）が搬送するビーム識別子情報は＃４であり得、第１ダウンリンク伝送機会の４番目の時間ユニットで伝送される指示情報（即ち、第４情報）が搬送するビーム識別子情報は＃６であり得る。
【０１０２】
例示的に、本出願の実施例において、異なる時間周波数リソースによって伝送された指示情報はビームフォーミング処理後に取得された情報であり得、例えば、第１情報は第１ビームフォーミング処理後に取得された的情報であり得、第２情報は第２ビームフォーミング処理後に取得された情報であり得、ここで、前記第１ビームフォーミングのビーム識別子および前記第２ビームフォーミングのビーム識別子は同じでも、異なってもよく、前記第１ビームフォーミングおよび前記第２ビームフォーミングの方向は同じでも、異なってもよく、本出願の実施例はこれらに対して限定しない。
【０１０３】
例示的に、いくつかの実施例において、前記指示情報は、前記ネットワーク機器が配置されたセルの識別子情報を搬送することもできる。
【０１０４】
例示的に、本出願の実施例において、前記第１ビームフォーミングは、前記第１ダウンリンク伝送機会における最初の時間ユニットに適用され、または、
前記第１ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会における最初のｐ個の時間ユニットのうちの少なくとも１つの時間ユニットに適用され、ｐ＝ｃｅｉｌ（Ｐ／２）であり、ここで、前記Ｐは、前記第１ダウンリンク伝送機会に含まれる時間ユニットの数を表し、ｃｅｉｌ（）は切り上げを表す。
【０１０５】
即ち、第１ビームフォーミングは、第１ダウンリンク伝送機会の最初の時間ユニット、またはいくつかの特定の時間ユニットに適用され、以上の特定の時間ユニットの位置は例示的なものであるが、限定するものではなく、前記第１ビームフォーミングは、他の条件を満たす時間ユニットに適用されることもでき、本出願の実施例はこれらに対して限定しない。
【０１０６】
例示的に、いくつかの実施例において、前記第２ビームフォーミングは、前記第１ビームフォーミングに適用される時間ユニットの次の時間ユニットに適用され、または、
前記第２ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会における最後のｑ個の時間ユニットのうちの少なくとも１つの時間ユニットに適用され、ｑ＝ｆｌｏｏｒ（Ｐ／２）であり、ここで、前記Ｐは、前記第１ダウンリンク伝送機会に含まれる時間ユニットの数を表し、ｆｌｏｏｒ（）は切り上げを表す。
【０１０７】
即ち、第２ビームフォーミングは、第１ビームフォーミングが適用する時間ユニットの後の時間ユニット、またはいくつかの特定の時間ユニットに適用され、以上の特定の時間ユニットの位置は例示的なものに過ぎず、限定するものではなく、前記第２ビームフォーミングは、他の条件を満たす時間ユニットに適用されることもでき、本出願の実施例はこれらに対して限定しない。
【０１０８】
例示的に、本出願の実施例において、ＤＣＩまたは参照信号を正しく受信する確率を向上させるために、ネットワーク機器は少なくとも２つのビームフォーミングの方向を通じて前記指示情報を伝送することができる。以下、図４および図５と組み合わせて、２つのビームフォーミング方向を例として、前記情報の伝送をどうやって実現するかを紹介する。
【０１０９】
例示的に、１つの実施例として、第１ビームフォーミングは前記第１ダウンリンク伝送機会における最初のｐ個の時間ユニットにおける各時間ユニットに適用されることができ、第２ビームフォーミングは第１ダウンリンク伝送機会におけるＰ個の時間ユニットにおける最後のｑ個の時間ユニットにおける各時間ユニットに適用されることができ、ここで、ｐ＝ｃｅｉｌ（Ｐ／２）であり、ｑ＝ｆｌｏｏｒ（Ｐ／２）であり、ここで、Ｐは、前記第１ダウンリンク伝送機会に含まれる時間ユニットの数を表し、ｃｅｉｌ（）は切り上げを表し、ｆｌｏｏｒ（）は切り捨てを表す。
【０１１０】
例えば、図４において、Ｐの値は５であり、ｐは３であり、ｑは２であり、即ち、第１ビームフォーミングは第１ダウンリンク伝送機会における最初の３つの時間ユニットに適用され、第２ビームフォーミングは第１ダウンリンク伝送機会における最後の２つの時間ユニットに適用される。
【０１１１】
例示的に、別の実施例として、第１ビームフォーミングは第１ダウンリンク伝送機会におけるＰ個の時間ユニットにおけるｍ（ｍは奇数である）番目の時間ユニットに適用され、第２ビームフォーミングは第１ダウンリンク伝送機会におけるＰ個の時間ユニットにおけるｎ（ｎは偶数である）番目の時間ユニットに適用される。
【０１１２】
例えば、図５において、Ｐの値は５であり、第１ビームフォーミングは第１ダウンリンク伝送機会における１番目、３番目、５番目の時間ユニットに適用され、第２ビームフォーミングは第１ダウンリンク伝送機会における２番目、４番目の時間ユニットに適用される。
【０１１３】
したがって、本出願の実施例の情報伝送方法によれば、端末機器がＤＣＩまたは参照信号を受信した場合、ＤＣＩまたは参照信号によって搬送される指示情報に従って現在のダウンリンク伝送機会の開始位置および／または終了位置を決定することができ、さらに、前記ダウンリンク伝送機会の開始位置および／または終了位置に従って、ネットワーク機器との通常のデータ通信を実行する。さらに、信号伝送のフェージングがひどい場合、本出願の実施例の情報伝送方法では、ＤＣＩまたは参照信号を送信する場合、少なくとも２つの方向のビームフォーミングを介して前記ＤＣＩまたは参照信号を処理することができ、異なる方向の端末機器が前記ＤＣＩまたは参照信号を正しく受信する確率を向上させるのに有益である。
【０１１４】
以上は、図２ないし図５と組み合わせて、本出願の実施例に係る情報伝送方法をネットワーク機器の観点から詳細に説明し、以下は、図６と組み合わせて、本出願の別の実施例に係る情報伝送方法を端末機器からの観点から詳細に説明する。端末機器側の説明とネットワーク機器側の説明は互いに対応し、類似する説明は以上を参照することができ、繰り返しを避けるため、ここでは再度説明しない。
【０１１５】
図６は、本出願の別の実施例に係るデータを伝送する方法６００の例示的なフローチャートであり、前記方法６００は図１に示された通信システムにおける端末機器によって実行されることができ、図６に示されたように、前記方法６００はネットワーク機器および端末機器を含む通信システムに適用され、前記通信システムによって使用されるキャリア上の周波数領域リソースは、競合メカニズムに基づいて使用される周波数領域リソースであり、前記方法６００は、次のステップを含む。
【０１１６】
ステップＳ６０１において、前記端末機器は、第１時間周波数リソースを介して前記ネットワーク機器によって送信された第１情報を受信し、前記第１時間周波数リソースは、第１ダウンリンク伝送機会における時間周波数リソースである。
【０１１７】
ステップＳ６０２において、前記端末機器は、前記第１情報に従って前記第１時間周波数リソースがダウンリンク時間周波数リソースであることを決定し、前記第１情報は、さらに、前記第１ダウンリンク伝送機会の終了位置を決定するために使用され、前記第１情報は、第１ビームフォーミング処理後に取得された情報である。
【０１１８】
本出願の実施例において、端末機器は、最初はネットワーク機器がダウンリンク伝送を実行するための時間周波数リソースを知らないため、端末機器はブラインド検出の方式により第１情報を取得し、第１情報を取得した後、端末機器は第１情報に従ってネットワーク機器がダウンリンク伝送を実行するための時間周波数リソースを決定することができ、さらに、ネットワーク機器との通常のデータ通信を実行することができる。
【０１１９】
例示的に、いくつかの実施例において、前記第１情報は、さらに、
前記第１ダウンリンク伝送機会の開始位置、前記第１ダウンリンク伝送機会における前記第１時間周波数リソースの位置、前記第１ダウンリンク伝送機会における残りの時間ユニットの数、前記ネットワーク機器が配置されたセルの識別子または前記第１ビームフォーミングのビーム識別子のうちの少なくとも１つの情報を決定するために使用される。
【０１２０】
例示的に、いくつかの実施例において、前記端末機器が、第１時間周波数リソースを介して前記ネットワーク機器によって送信された第１情報を受信することは、
前記端末機器が、前記ネットワーク機器が前記第１時間周波数リソースでダウンリンク制御チャネルを介して伝送しまたは参照信号によって送信された前記第１情報を受信することを含む。
【０１２１】
例示的に、いくつかの実施例において、前記第１ビームフォーミングは、前記第１ダウンリンク伝送機会における最初の時間ユニットに適用され、または、
前記第１ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会における最初のｐ個の時間ユニットのうちの少なくとも１つの時間ユニットに適用され、ｐ＝ｃｅｉｌ（Ｐ／２）であり、ここで、前記Ｐは、前記第１ダウンリンク伝送機会に含まれる時間ユニットの数を表し、ｃｅｉｌ（）は切り上げを表す。
【０１２２】
例示的に、いくつかの実施例において、前記方法は、
前記端末機器が、前記ネットワーク機器が第２時間周波数リソースを介して送信した第２情報を受信することと、
前記端末機器が、前記第２情報に従って、前記第２時間周波数リソースがダウンリンク時間周波数リソースであることを決定することであって、前記第２情報は、さらに、前記第１ダウンリンク伝送機会の終了位置を決定するために使用され、前記第２情報は、第２ビームフォーミング処理後に取得された情報であり、前記第２時間周波数リソースは、前記第１ダウンリンク伝送機会における時間周波数リソースであり、前記第２時間周波数リソースは、前記第１時間周波数リソースより時間的に遅いこととをさらに含む。
【０１２３】
例示的に、いくつかの実施例において、前記第２情報は、さらに、
前記第１ダウンリンク伝送機会の開始位置、前記第１ダウンリンク伝送機会における前記第２時間周波数リソースの位置、前記第１ダウンリンク伝送機会における残りの時間ユニットの数、前記ネットワーク機器が配置されたセルの識別子または前記第２ビームフォーミングのビーム識別子のうちの少なくとも１つの情報を決定するために使用される。
【０１２４】
例示的に、いくつかの実施例において、前記第１ビームフォーミングのビーム識別子は、前記第２ビームフォーミングのビーム識別子とは異なる。
【０１２５】
例示的に、いくつかの実施例において、前記第２ビームフォーミングは、前記第１ビームフォーミングに適用される時間ユニットの次の時間ユニットに適用され、または、
前記第２ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会における最後のｑ個の時間ユニットのうちの少なくとも１つの時間ユニットに適用され、ｑ＝ｆｌｏｏｒ（Ｐ／２）であり、ここで、前記Ｐは、前記第１ダウンリンク伝送機会に含まれる時間ユニットの数を表し、ｆｌｏｏｒ（）は切り上げを表す。
【０１２６】
例示的に、いくつかの実施例において、前記方法６００は、
前記端末機器が、前記第１ダウンリンク伝送機会の開始位置および／または終了位置に従って、前記ネットワーク機器によって送信されたダウンリンクチャネルのチャネル状態情報を測定することをさらに含む。
【０１２７】
以上は図２ないし図６と組み合わせて、本出願の方法の実施例を詳細に説明し、以下は図４ないし図７と組み合わせて、本出願の装置の実施例を詳細に説明し、装置の実施例と方法実施例は相互に対応し、類似する説明は方法の実施例を参照することができることを理解されたい。
【０１２８】
図７は、本出願の実施例に係るネットワーク機器の例示的なブロック図である。前記ネットワーク機器７００が位置する通信システムによって使用されるキャリア上の周波数領域リソースは、競合メカニズムに基づいて使用される周波数領域リソースであり、図７のネットワーク機器７００は、
使用可能な第１時間周波数リソースを決定するように構成される決定モジュールで７１０あって、前記第１時間周波数リソースは、第１ダウンリンク伝送機会における時間周波数リソースである決定モジュール７１０と、
前記第１時間周波数リソースを介して第１情報を前記端末機器に送信するように構成される通信モジュール７２０であって、前記第１情報は、前記端末機器が、前記第１時間周波数リソースがダウンリンク時間周波数リソースであることを決定するために使用され、且つ、前記第１情報は、さらに、前記第１ダウンリンク伝送機会の終了位置を決定するために使用され、前記第１情報は、第１ビームフォーミング処理後に取得された情報である通信モジュール７２０とを含む。
【０１２９】
例示的に、いくつかの実施例において、前記第１情報は、さらに、
前記第１ダウンリンク伝送機会の開始位置、前記第１ダウンリンク伝送機会における前記第１時間周波数リソースの位置、前記第１ダウンリンク伝送機会における残りの時間ユニットの数、前記ネットワーク機器が配置されたセルの識別子または前記第１ビームフォーミングのビーム識別子のうちの少なくとも１つの情報を決定するために使用される。
【０１３０】
例示的に、いくつかの実施例において、前記通信モジュール７２０は、具体的に、
前記第１時間周波数リソースで、ダウンリンク制御チャネルまたは参照信号を介して前記第１情報を前記端末機器に送信するように構成される。
【０１３１】
例示的に、いくつかの実施例において、前記第１ビームフォーミングは、前記第１ダウンリンク伝送機会における最初の時間ユニットに適用され、または、
前記第１ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会における最初のｐ個の時間ユニットのうちの少なくとも１つの時間ユニットに適用され、ｐ＝ｃｅｉｌ（Ｐ／２）であり、ここで、前記Ｐは、前記第１ダウンリンク伝送機会に含まれる時間ユニットの数を表し、ｃｅｉｌ（）は切り上げを表す。
【０１３２】
例示的に、いくつかの実施例において、前記通信モジュール７２０は、さらに、
第２時間周波数リソースを介して第２情報を前記端末機器に送信するように構成され、前記第２情報は、前記端末機器が、前記第２時間周波数リソースがダウンリンク時間周波数リソースであることを決定するために使用され、且つ、前記第２情報は、さらに、前記第１ダウンリンク伝送機会の終了位置を決定するために使用され、前記第２情報は、第２ビームフォーミング処理後に取得された情報であり、前記第２時間周波数リソースは、前記第１ダウンリンク伝送機会における時間周波数リソースであり、前記第２時間周波数リソースは、前記第１時間周波数リソースより時間的に遅い。
【０１３３】
例示的に、いくつかの実施例において、前記第２情報は、さらに、
前記第１ダウンリンク伝送機会の開始位置、前記第１ダウンリンク伝送機会における前記第２時間周波数リソースの位置、前記第１ダウンリンク伝送機会における残りの時間ユニットの数、前記ネットワーク機器が配置されたセルの識別子または前記第２ビームフォーミングのビーム識別子のうちの少なくとも１つの情報を決定するために使用される。
【０１３４】
例示的に、いくつかの実施例において、前記第１ビームフォーミングのビーム識別子は、前記第２ビームフォーミングのビーム識別子とは異なる。
【０１３５】
例示的に、いくつかの実施例において、前記第２ビームフォーミングは、前記第１ビームフォーミングに適用される時間ユニットの次の時間ユニットに適用され、または、
前記第２ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会における最後のｑ個の時間ユニットのうちの少なくとも１つの時間ユニットに適用され、ｑ＝ｆｌｏｏｒ（Ｐ／２）であり、ここで、前記Ｐは、前記第１ダウンリンク伝送機会に含まれる時間ユニットの数を表し、ｆｌｏｏｒ（）は切り上げを表す。
【０１３６】
具体的に、前記ネットワーク機器７００は前記方法２００で説明したネットワーク機器に対応することができ（例えば、それらで構成されるかその本体がそれである）、さらに、前記ネットワーク機器７００の各モジュールまたはユニットそれぞれは、前記方法２００のネットワーク機器によって実行される各操作または処理プロセスを実行するように構成され、ここでは、繰り返しを避けるために、詳細な説明を省略する。
【０１３７】
図８は、本出願の実施例に係る端末機器の例示的なブロック図である。前記端末機器が属する通信システムによって使用されるキャリア上の周波数領域リソースは、競合メカニズムに基づいて使用される周波数領域リソースであり、図８の端末機器８００は、
第１時間周波数リソースを介してネットワーク機器によって送信された第１情報を受信するように構成される通信モジュール８１０であって、前記第１時間周波数リソースは、第１ダウンリンク伝送機会における時間周波数リソースである通信モジュール８１０と、
前記第１情報に従って前記第１時間周波数リソースがダウンリンク時間周波数リソースであることを決定するように構成される決定モジュール８２０であって、前記第１情報は、さらに、前記第１ダウンリンク伝送機会の終了位置を決定するために使用され、前記第１情報は、第１ビームフォーミング処理後に取得された情報である決定モジュール８２０とを含む。
【０１３８】
例示的に、いくつかの実施例において、前記第１情報は、さらに、
前記第１ダウンリンク伝送機会の開始位置、前記第１ダウンリンク伝送機会における前記第１時間周波数リソースの位置、前記第１ダウンリンク伝送機会における残りの時間ユニットの数、前記ネットワーク機器が配置されたセルの識別子または前記第１ビームフォーミングのビーム識別子のうちの少なくとも１つの情報を決定するために使用される。
【０１３９】
例示的に、いくつかの実施例において、前記通信モジュール８１０は、具体的に、
前記ネットワーク機器が前記第１時間周波数リソースでダウンリンク制御チャネルを介して伝送しまたは参照信号によって送信された前記第１情報を受信するように構成される。
【０１４０】
例示的に、いくつかの実施例において、前記第１ビームフォーミングは、前記第１ダウンリンク伝送機会における最初の時間ユニットに適用され、または、
前記第１ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会における最初のｐ個の時間ユニットのうちの少なくとも１つの時間ユニットに適用され、ｐ＝ｃｅｉｌ（Ｐ／２）であり、ここで、前記Ｐは、前記第１ダウンリンク伝送機会に含まれる時間ユニットの数を表し、ｃｅｉｌ（）は切り上げを表す。
【０１４１】
例示的に、いくつかの実施例において、前記通信モジュール８１０は、さらに、
前記ネットワーク機器が第２時間周波数リソースを介して送信した第２情報を受信するように構成され、
前記決定モジュール８２０は、さらに、
前記第２情報に従って、前記第２時間周波数リソースがダウンリンク時間周波数リソースであることを決定するように構成され、且つ、前記第２情報は、さらに、前記第１ダウンリンク伝送機会の終了位置を決定するために使用され、前記第２情報は、第２ビームフォーミング処理後に取得された情報であり、前記第２時間周波数リソースは、前記第１ダウンリンク伝送機会における時間周波数リソースであり、前記第２時間周波数リソースは、前記第１時間周波数リソースより時間的に遅い。
【０１４２】
例示的に、いくつかの実施例において、前記第２情報は、さらに、
前記第１ダウンリンク伝送機会の開始位置、前記第１ダウンリンク伝送機会における前記第２時間周波数リソースの位置、前記第１ダウンリンク伝送機会における残りの時間ユニットの数、前記ネットワーク機器が配置されたセルの識別子または前記第２ビームフォーミングのビーム識別子のうちの少なくとも１つの情報を決定するために使用される。
【０１４３】
例示的に、いくつかの実施例において、前記第１ビームフォーミングのビーム識別子は、前記第２ビームフォーミングのビーム識別子とは異なる。
【０１４４】
例示的に、いくつかの実施例において、前記第２ビームフォーミングは、前記第１ビームフォーミングに適用される時間ユニットの後の時間ユニットに適用され、または、
前記第２ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第２ビームフォーミングは、前記第１ダウンリンク伝送機会における最後のｑ個の時間ユニットのうちの少なくとも１つの時間ユニットに適用され、ｑ＝ｆｌｏｏｒ（Ｐ／２）であり、ここで、前記Ｐは、前記第１ダウンリンク伝送機会に含まれる時間ユニットの数を表し、ｆｌｏｏｒ（）は切り上げを表す。
【０１４５】
例示的に、いくつかの実施例において、前記通信モジュール８１０は、さらに、
前記第１ダウンリンク伝送機会の開始位置および／または終了位置に従って、前記ネットワーク機器によって送信されたダウンリンクチャネルのチャネル状態情報を測定するように構成される。
【０１４６】
具体的に、前記端末機器８００は（例えば、それらで構成されるかその本体がそれである）前記方法６００で説明した端末機器に対応することができ、さらに、前記端末機器８００の各モジュールまたはユニットそれぞれは、前記方法６００の端末機器によって実行される各操作または処理プロセスを実行するように構成され、ここでは、繰り返しを避けるため、詳細な説明を略する。
【０１４７】
図９に示されたように、本出願の実施例はネットワーク機器９００をさらに提供し、前記ネットワーク機器９００は、図２の方法２００に対応するネットワーク機器のコンテンツを実行することができるように構成される図７のネットワーク機器７００であり得る。前記ネットワーク機器９００は、入力インターフェース９１０、出力インターフェース９２０、プロセッサ９３０およびメモリ９４０を含み、前記入力インターフェース９１０、出力インターフェース９２０、プロセッサ９３０およびメモリ９４０はバスシステムを介して接続する。前記メモリ９４０はプログラム、命令またはコードを記憶するように構成される。前記プロセッサ９３０は、入力インターフェース９１０の受信信号を制御し、出力インターフェース９２０の送信信号を制御しおよび前記方法の実施例の動作を完了するために、前記メモリ９４０のプログラム、命令またはコードを実行するように構成される。
【０１４８】
本出願の実施例において、前記プロセッサ９３０は、中央処理ユニット（ＣＰＵ：Ｃｅｎｔｒａｌ  Ｐｒｏｃｅｓｓｉｎｇ  Ｕｎｉｔ）であってもよく、前記プロセッサ９３０は、他の汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジックデバイス、ディスクリートハードウェアデバイスなどであってもよいことを理解されたい。汎用プロセッサはマイクロプロセッサであってもよく、または前記プロセッサは任意の従来のプロセッサなどであってもよい。
【０１４９】
前記メモリ９４０は、読み取り専用メモリおよびランダムアクセスメモリを含むことができ、プロセッサ９３０に命令およびデータを提供する。メモリ９４０の一部は、不揮発性ランダムアクセスメモリを含むこともできる。例えば、メモリ９４０は、さらに機器のタイプの情報を記憶することもできる。
【０１５０】
実現プロセスにおいて、上記した方法の各ステップは、プロセッサ９３０におけるハードウェアの集積論理回路またはソフトウェアの形の命令を介して完了されることができる。本出願の実施例と組み合わせて開示される方法の内容は、ハードウェアプロセッサに直接に具現されて実行し、またはプロセッサ内のハードウェアおよびソフトウェアモジュールの組み合わせによって実行して完了されてもよい。ソフトウェアモジュールは、ランダムメモリ、フラッシュメモリ、読み取り専用メモリ、プログラマブル読み取り専用メモリまたは電気的に消去可能なプログラマブルメモリ、レジスタなど従来の記憶媒体に配置されることができる。前記記憶媒体は、メモリ９４０に配置され、プロセッサ９３０は、メモリ９４０の情報を読み取り、そのハードウェアに結合して前記方法のコンテンツを完成する。繰り返しを避けるため、ここでは詳しく説明しない。
【０１５１】
具体的な実施形態において、図７のネットワーク機器７００が含む決定モジュール７１０は、図６のプロセッサ９３０を使用して実現することができ、図７のネットワーク機器７００が含む通信モジュール７２０は、図９の前記入力インターフェース９１０および前記出力インターフェース９２０を使用して実現することができる。
【０１５２】
図１０に示されたように、本出願の実施例は、端末機器１０００をさらに提供し、前記端末機器１０００は、図６の方法６００に対応する端末機器のコンテンツを実行するように構成されることができる図８の端末機器８００であってもよい。前記端末機器１０００は、入力インターフェース１０１０、出力インターフェース１０２０、プロセッサ１０３０およびメモリ１０４０を含み、前記入力インターフェース１０１０、出力インターフェース１０２０、プロセッサ１０３０およびメモリ１０４０はバスシステムを介して接続する。前記メモリ１０４０はプログラム、命令またはコードを記憶するように構成される。前記プロセッサ１０３０は、入力インターフェース１０１０の受信信号を制御し、出力インターフェース１０２０の送信信号を制御しおよび前記方法の実施例の動作を完了するために、前記メモリ１０４０のプログラム、命令またはコードを実行するように構成される。
【０１５３】
本出願の実施例において、前記プロセッサ１０３０は、中央処理ユニット（ＣＰＵ：Ｃｅｎｔｒａｌ  Ｐｒｏｃｅｓｓｉｎｇ  Ｕｎｉｔ）であってもよく、前記プロセッサ１０３０は、他の汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジックデバイス、ディスクリートハードウェアデバイスなどであってもよいことを理解されたい。汎用プロセッサはマイクロプロセッサであってもよく、または前記プロセッサは任意の従来のプロセッサなどであってもよい。
【０１５４】
前記メモリ１０４０は、読み取り専用メモリおよびランダムアクセスメモリを含むことができ、プロセッサ１０３０に命令およびデータを提供する。メモリ１０４０の一部は、不揮発性ランダムアクセスメモリを含むこともできる。例えば、メモリ１０４０は、さらに機器のタイプの情報を記憶することもできる。
【０１５５】
実現プロセスにおいて、上記した方法の各ステップは、プロセッサ１０３０におけるハードウェアの集積論理回路またはソフトウェアの形の命令を介して完了されることができる。本出願の実施例と組み合わせて開示される方法の内容は、ハードウェアプロセッサに直接に具現されて実行し、またはプロセッサ内のハードウェアおよびソフトウェアモジュールの組み合わせによって実行して完了されてもよい。ソフトウェアモジュールは、ランダムメモリ、フラッシュメモリ、読み取り専用メモリ、プログラマブル読み取り専用メモリまたは電気的に消去可能なプログラマブルメモリ、レジスタなど従来の記憶媒体に配置されることができる。前記記憶媒体は、メモリ１０４０に配置され、プロセッサ１０３０は、メモリ１０４０の情報を読み取り、そのハードウェアに結合して前記方法のコンテンツを完成する。繰り返しを避けるため、ここでは詳しく説明しない。
【０１５６】
具体的な実施形態において、図８の端末機器８００が含む決定モジュール８２０は、図１０のプロセッサ１０３０を使用して実現することができ、図８の端末機器８００が含む通信モジュール８１０は、図１０の前記入力インターフェース１０１０および前記出力インターフェース１０２０を使用して実現することができる。
【０１５７】
本出願の実施例は、コンピュータ読み取り可能な記憶媒体をさらに提供し、前記コンピュータ読み取り可能な記憶媒体は１つまたは複数のプログラムを含み、前記１つまたは複数のプログラムは命令を含み、前記命令は、複数のアプリケーションプログラムを含む携帯用電子機器によって実行されるときに、前記携帯用電子機器が図２ないし図６に示された実施例の方法を実行するようにすることができる。
【０１５８】
本出願の実施例は、コンピュータプログラムをさらに提供し、前記コンピュータプログラムは命令を含み、前記コンピュータプログラムがコンピュータによって実行されるときに、コンピュータが図２ないし図６に示された実施例の方法の対応するプロセスを実行するようにする。
【０１５９】
当業者は、本明細書で開示される実施例と組み合わせて説明された各例示のユニットおよびアルゴリズムステップは、電子ハードウェア、またはコンピュータソフトウェアと電子ハードウェアの組み合わせによって実現することができることを理解するであろう。これらの機能がハードウェアの形態で実行されるかソフトウェアの形で実行されるかは、技術的解決策の特定のアプリケーションと設計上の制約条件に依存する。専門技術者は、特定のアプリケーションごとに対して、異なる方法を使用して説明された機能を実現することができるが、このような実現は本出願の範囲を超えると見なされるべきではない。
【０１６０】
当業者は、説明の便宜上および簡潔にするために、上記に説明されたシステム、装置およびユニットの具体的な作業プロセスは、前述方法の実施例における対応するプロセスを参照することができることを明確に理解することができ、ここでは繰り返さない。
【０１６１】
本出願で提供されるいくつかの実施例では、開示されたシステム、装置および方法は、他の方法で実現されることができることを理解されたい。例えば、上記で説明された装置実施例は例示的なものに過ぎず、例えば、前記ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された相互結合または直接結合または通信接続は、電気的、機械的または他の形態の一部のインターフェース、装置またはユニットを介した関節結合または通信接続であり得る。
【０１６２】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際のニーズにしたがって、その中のユニットの一部または全部を選択して本実施例の技術案の目的を実現することができる。
【０１６３】
さらに、本出願の各実施例における各機能ユニットは、１つの処理ユニットに統合されてもよく、各ユニットが物理的に別個に存在してもよく、２つまたは２つ以上のユニットが１つのユニットに統合されてもよい。
【０１６４】
前記機器は、ソフトウェア機能ユニットの形で実現され、スタンドアロン製品として販売または使用される場合、コンピュータ読み取り可能な記憶媒体に記憶されることができる。このような理解に基づいて、本出願の技術的解決策は、本質的にまたは先行技術に対して寄与する部分または前記技術的解決策の一部は、ソフトウェア製品の形で具現されることができ、前記コンピュータソフトウェア製品は、１つの記憶媒体に記憶され、１台のコンピュータ機器（パーソナルコンピュータ、サーバ、またはネットワーク機器等であり得る）に本出願の各実施例に記載の方法の全部または一部のステップを実行させるためのいくつかの命令を含む。上記した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスクなどのプログラムコードを記憶することができる様々な媒体を含む。
【０１６５】
上記の内容は、本出願の具体的な実施形態に過ぎないが、本出願の保護範囲はこれに限定されず、当業者は、本出願に開示された技術的範囲内で容易に想到し得る変更または置換は、すべて本出願の保護範囲内に含まれるべきである。したがって、本出願の保護範囲は、特許請求の範囲の保護範囲に従うものとする。
【手続補正２】
【補正対象書類名】特許請求の範囲
【補正対象項目名】全文
【補正方法】変更
【補正の内容】
【特許請求の範囲】
【請求項１】
情報伝送方法であって、ネットワーク機器および端末機器を含む通信システムに適用され、前記通信システムによって使用されるキャリア上の周波数領域リソースは、競合メカニズムに基づいて使用される周波数領域リソースであり、前記方法は、
前記端末機器が、第１時間周波数リソースを介して前記ネットワーク機器によって送信された第１情報を受信することであって、前記第１時間周波数リソースは、第１ダウンリンク伝送機会における時間周波数リソースであることと、
前記端末機器が、前記第１情報に従って前記第１時間周波数リソースがダウンリンク時間周波数リソースであることを決定することと、を含むことを特徴とする、前記情報伝送方法。
【請求項２】
前記第１情報は、第１ビームフォーミングによって取得され、前記第１情報は、さらに、
前記第１ダウンリンク伝送機会の開始位置、前記第１ダウンリンク伝送機会の終了位置、前記第１ダウンリンク伝送機会における前記第１時間周波数リソースの位置、前記第１ダウンリンク伝送機会における残りの時間ユニットの数、前記ネットワーク機器が配置されたセルの識別子または前記第１ビームフォーミングのビーム識別子のうちの少なくとも１つの情報を決定するために使用されることを特徴とする、
請求項１に記載の情報伝送方法。
【請求項３】
前記端末機器が、第１時間周波数リソースを介して前記ネットワーク機器によって送信された第１情報を受信することは、
前記端末機器が、物理ダウンリンク制御チャネル（ＰＤＣＣＨ）または参照信号を介して前記ネットワーク機器によって前記第１時間周波数リソースで送信される第１情報を受信することを含むことを特徴とする、
請求項１または２に記載の情報伝送方法。
【請求項４】
前記方法は、
前記端末機器が、前記第１情報に従って、前記第１時間周波数リソースにネットワーク機器のダウンリンクの送信があるかどうかを決定すること、または
前記端末機器が、前記第１情報に従って、前記第１ダウンリンク伝送機会にネットワーク機器のダウンリンクの送信があるかどうかを決定することをさらに含むことを特徴とする、
請求項１ないし３のいずれか一項に記載の情報伝送方法。
【請求項５】
前記第１ビームフォーミングは、前記第１ダウンリンク伝送機会における最初の時間ユニットに適用され、または、
前記第１ビームフォーミングは、前記第１ダウンリンク伝送機会におけるＰ（Ｐは正の整数である）個の時間ユニットのうちのｍ（ｍは奇数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会におけるＰ（Ｐは正の整数である）個の時間ユニットのうちのｎ（ｎは偶数である）番目の時間ユニットに適用され、前記Ｐは、前記第１ダウンリンク伝送機会に含まれる時間ユニットの数を表し、または、
前記第１ビームフォーミングは、前記第１ダウンリンク伝送機会における最初のｐ個の時間ユニットのうちの少なくとも１つの時間ユニットに適用され、ｐ＝ｃｅｉｌ（Ｐ／２）であり、前記Ｐは、前記第１ダウンリンク伝送機会に含まれる時間ユニットの数を表し、ｃｅｉｌ（）は切り上げを表すことを特徴とする、
請求項１ないし４のいずれか一項に記載の情報伝送方法。
【請求項６】
前記方法は、
前記端末機器が、前記ネットワーク機器が第２時間周波数リソースを介して送信した第２情報を受信することと、
前記端末装置が、前記第２情報に従って、前記第２時間周波数リソースがダウンリンク時間周波数リソースであることを決定することであって、前記第２情報は、さらに、前記第１ダウンリンク伝送機会の終了位置を決定するために使用され、前記第２情報は、第２ビームフォーミング処理によって取得された情報であり、前記第２時間周波数リソースは、前記第１ダウンリンク伝送機会における時間周波数リソースであり、前記第２時間周波数リソースは、前記第１時間周波数リソースより時間的に遅いことと、をさらに含むことを特徴とする、
請求項１ないし５のいずれか一項に記載の情報伝送方法。
【請求項７】
前記端末機器が、前記第１ダウンリンク伝送機会の終了位置およびチャネル状態情報参照信号（ＣＳＩ−ＲＳ）に従って、前記ネットワーク機器からのダウンリンクチャネルのチャネル状態情報（ＣＳＩ）を測定することをさらに含むことを特徴とする、
請求項１ないし６のいずれか一項に記載の情報伝送方法。
【請求項８】
情報伝送方法であって、ネットワーク機器および端末機器を含む通信システムに適用され、前記通信システムによって使用されるキャリア上の周波数領域リソースは、競合メカニズムに基づいて使用される周波数領域リソースであり、前記方法は、
前記ネットワーク機器が、使用可能な第１時間周波数リソースを決定することであって、前記第１時間周波数リソースは、第１ダウンリンク伝送機会における時間周波数リソースであることと、
前記ネットワーク機器が前記第１時間周波数リソースを介して第１情報を前記端末機器に送信することであって、前記第１情報は、前記端末機器が、前記第１時間周波数リソースがダウンリンク時間周波数リソースであることを決定するために使用されることと、を含むことを特徴とする、前記情報伝送方法。
【請求項９】
前記第１情報は、第１ビームフォーミングによって取得され、前記第１情報は、さらに、
前記第１ダウンリンク伝送機会の開始位置、前記第１ダウンリンク伝送機会の終了位置、前記第１ダウンリンク伝送機会における前記第１時間周波数リソースの位置、前記第１ダウンリンク伝送機会における残りの時間ユニットの数、前記ネットワーク機器が配置されたセルの識別子または前記第１ビームフォーミングのビーム識別子のうちの少なくとも１つの情報を決定するために使用されることを特徴とする、
請求項８に記載の情報伝送方法。
【請求項１０】
前記ネットワーク機器が前記第１時間周波数リソースを介して第１情報を前記端末機器に送信することは、
前記ネットワーク機器が、前記第１時間周波数リソースで、ダウンリンク制御チャネルまたは参照信号を介して前記第１情報を前記端末機器に送信することを含むことを特徴とする、
請求項８または９に記載の情報伝送方法。
【請求項１１】
端末機器であって、前記端末機器が属する通信システムによって使用されるキャリア上の周波数領域リソースは、競合メカニズムに基づいて使用される周波数領域リソースであり、前記端末機器は、
第１時間周波数リソースを介してネットワーク機器によって送信された第１情報を受信するように構成される通信モジュールであって、前記第１時間周波数リソースは、第１ダウンリンク伝送機会における時間周波数リソースである通信モジュールと、
前記第１時間周波数リソースがダウンリンク時間周波数リソースであることを前記第１情報に従って決定するように構成される決定モジュールと、を含むことを特徴とする、前記端末機器。
【請求項１２】
端末機器であって、前記端末機器が属する通信システムによって使用されるキャリア上の周波数領域リソースは、競合メカニズムに基づいて使用される周波数領域リソースであり、前記端末機器は、入力インターフェース、出力インターフェース、プロセッサ、および前記プロセッサによって実行可能な命令を格納するためのメモリを備え、
前記入力インターフェイス、前記出力インターフェイス、前記プロセッサ、前記メモリはバスシステムを介して接続され、
前記プロセッサは、請求項１ないし７のいずれか一項に記載の方法を実行するように構成されることを特徴とする、前記端末機器。
【請求項１３】
ネットワーク機器であって、前記ネットワーク機器が属する通信システムによって使用されるキャリア上の周波数領域リソースは、競合メカニズムに基づいて使用される周波数領域リソースであり、前記ネットワーク機器は、
使用可能な第１時間周波数リソースを決定するように構成される決定モジュールであって、前記第１時間周波数リソースは、第１ダウンリンク伝送機会における時間周波数リソースである決定モジュールと、
前記第１時間周波数リソースを介して第１情報を前記端末機器に送信するように構成される通信モジュールであって、前記第１情報は、前記端末機器が、前記第１時間周波数リソースがダウンリンク時間周波数リソースであることを決定するために使用される通信モジュールとを含むことを特徴とする、前記ネットワーク機器。
【請求項１４】
ネットワーク機器であって、前記ネットワーク機器が属する通信システムによって使用されるキャリア上の周波数領域リソースは、競合メカニズムに基づいて使用される周波数領域リソースであり、前記ネットワーク機器は、入力インターフェース、出力インターフェース、プロセッサ、および前記プロセッサによって実行可能な命令を格納するためのメモリを備え、
前記出力インターフェイス、前記プロセッサ、前記メモリはバスシステムを介して接続され、
前記プロセッサは、請求項８ないし１０のいずれか一項に記載の方法を実行するように構成されることを特徴とする、前記ネットワーク機器。
【国際調査報告】
2021513816.tif 000013
2021513816.tif 000014
2021513816.tif 000015
2021513816.tif 000016